(57)【要約】  【課題】  複数のデバイスに対して設定データの一括転送を行う際に、個々のデバイスにおける設定変更の有無を確認可能な設定データ伝送プログラム、設定データ伝送装置、および設定データ伝送システムを提供すること。  【解決手段】  ＰＣから複数のデバイスへデバイスの設定に関する設定データを一括送信する際に、設定対象となるデバイスの選択、および、送信する設定データの決定を終えたら（Ｓ１０１〜Ｓ１０３）、送信実行確認ダイアログを表示して、個々のデバイスにおける設定変更の有無を表示する（Ｓ１０５）。そして、利用者が送信指示をしたら（Ｓ１０７：ＹＥＳ）、その後に複数のデバイスに対して設定データの一括転送を行い（Ｓ１０９）、利用者がキャンセル指示した場合は（Ｓ１０５）、設定対象となるデバイスの選択、および、送信する設定データの決定をやり直す。【選択図】  図７
2006099362.tif 000002
【特許請求の範囲】
【請求項１】
ネットワークを介して接続されたデバイスに対して、前記ネットワーク経由で設定データを伝送可能で、設定対象となる設定対象デバイスが複数存在する場合には、同じ設定データを複数の前記設定対象デバイスに対して伝送可能な設定データ伝送処理を、コンピュータに実行させるための設定データ伝送プログラムであって、
前記設定対象デバイスに対して、新たに伝送しようとする新設定データを決定する新設定データ決定手順と、
利用者からの指示に従って、ネットワークを介して接続された複数のデバイスの中から、１以上の前記設定対象デバイスを選択する設定対象デバイス選択手順と、
前記設定対象デバイスに対して既に設定されている既設定データを取得する手順であり、前記設定対象デバイスが複数存在する場合には、複数の前記設定対象デバイスそれぞれについて前記既設定データを取得する既設定データ取得手順と、
前記新設定データ決定手順において決定された前記新設定データと、前記既設定データ取得手順において取得された前記既設定データとを比較する手順であり、前記設定対象デバイスが複数存在する場合には、複数の前記設定対象デバイスそれぞれの前記既設定データについて前記新設定データとの比較を行う比較手順と、
前記比較手順において得られた比較結果を表示する手順であり、前記設定対象デバイスが複数存在する場合には、複数の前記設定対象デバイスそれぞれについて前記比較結果を表示する比較結果表示手順と、
前記比較結果表示手順において前記比較結果を表示した後、利用者から指示を受けたら、前記新設定データ決定手順において決定された前記新設定データを、前記設定対象デバイスに対して伝送する手順であり、前記設定対象デバイスが複数存在する場合には、同じ前記新設定データを複数の前記設定対象デバイスに対して伝送する新設定データ伝送手順と
をコンピュータに実行させるための設定データ伝送プログラム。
【請求項２】
前記既設定データ取得手順は、前記ネットワークを介して前記設定対象デバイスから前記既設定データを取得する手順である
ことを特徴とする請求項１に記載の設定データ伝送プログラム。
【請求項３】
前記既設定データ取得手順は、前記設定対象デバイス選択手順を終えることによって前記設定対象デバイスが確定した後、前記比較手順に移行する前に、前記ネットワークを介して前記設定対象デバイスから最新の前記既設定データを取得する手順である
ことを特徴とする請求項２に記載の設定データ伝送プログラム。
【請求項４】
前記既設定データ取得手順が、前記設定対象デバイスから前記既設定データを取得できなかった場合に、その旨を示すエラー情報を表示するエラー情報表示手順
をコンピュータに実行させるように構成されている請求項２または請求項３に記載の設定データ伝送プログラム。
【請求項５】
利用者からの指示に従って、前記設定対象デバイス選択手順において選択された前記設定対象デバイスの中から、１以上の前記設定対象デバイスの選択を解除する選択解除手順
をコンピュータに実行させるように構成されている請求項１〜請求項４のいずれかに記載の設定データ伝送プログラム。
【請求項６】
前記比較結果表示手順は、前記比較結果として、前記既設定データと前記新設定データとでどこが異なるのかを表示可能な手順である
ことを特徴とする請求項１〜請求項５のいずれかに記載の設定データ伝送プログラム。
【請求項７】
利用者からの指示に従って、前記設定対象デバイスの中から、個別設定の対象となる１以上の個別設定対象デバイスを選択する個別設定対象デバイス選択手順と、
前記個別設定対象デバイスに対して、新たに伝送しようとする個別設定データを決定する個別設定データ決定手順とを、コンピュータに実行させるように構成されており、
前記新設定データ伝送手順は、前記個別設定対象デバイスに対しては、前記個別設定データ決定手順において決定された前記個別設定データを伝送する一方、前記個別設定対象デバイス以外の前記設定対象デバイスに対しては、前記新設定データ決定手順において決定された前記新設定データを伝送する手順とされている
ことを特徴とする請求項１〜請求項６のいずれかに記載の設定データ伝送プログラム。
【請求項８】
利用者からの指示に従って、ネットワークを介して接続された複数のデバイスの中から、１台の代表デバイスを選択する代表デバイス選択手順と、
前記代表デバイスに対して既に設定されている代表設定データを取得する代表設定データ取得手順とを、コンピュータに実行させるように構成されており、
前記新設定データ決定手順は、前記代表設定データ取得手順において取得した前記代表設定データを、そのまま前記新設定データと決定するか、利用者からの指示に従って一部を変更して前記新設定データと決定する手順である
ことを特徴とする請求項１〜請求項７のいずれかに記載の設定データ伝送プログラム。
【請求項９】
前記比較手順、前記比較結果表示手順、および前記新設定データ伝送手順は、前記設定対象デバイス選択手順において利用者が前記代表デバイスを前記設定対象デバイスとして選択しなくても、前記代表デバイスを前記設定対象デバイスの一つとして処理するように構成されている
ことを特徴とする請求項８に記載の設定データ伝送プログラム。
【請求項１０】
前記設定対象デバイス選択手順は、前記代表デバイスについても前記設定対象デバイスの一つとして選択可能な手順であり、
前記比較手順、前記比較結果表示手順、および前記新設定データ伝送手順は、前記設定対象デバイス選択手順において利用者が前記代表デバイスを前記設定対象デバイスとして選択した場合に、前記代表デバイスを前記設定対象デバイスの一つとして処理するように構成されている
ことを特徴とする請求項８に記載の設定データ伝送プログラム。
【請求項１１】
前記新設定データ決定手順は、前記設定対象デバイスに対して伝送しようとする設定対象デバイス用データと、前記代表デバイスのみに対して伝送しようとする代表デバイス用データとを含む前記新設定データを決定する手順であり、
前記新設定データ伝送手順は、前記新設定データ決定手順において決定された前記新設定データのうち、前記設定対象デバイス用データを前記設定対象デバイスに対して伝送するとともに、前記代表デバイス用データを前記代表デバイスのみに対して伝送する手順である
ことを特徴とする請求項９または請求項１０に記載の設定データ伝送プログラム。
【請求項１２】
前記新設定データ伝送手順は、複数の前記設定対象デバイス共通の設定項目に設定される前記設定対象デバイス用データを前記設定対象デバイスに対して伝送するとともに、前記代表デバイス固有の設定項目に設定される前記代表デバイス用データを前記代表デバイスのみに対して伝送する手順である
ことを特徴とする請求項１１に記載の設定データ伝送プログラム。
【請求項１３】
前記新設定データ伝送手順とは別に、利用者からの指示を受けて、前記新設定データを前記代表デバイスのみに対して伝送する代表デバイス宛新設定データ伝送手順を、コンピュータに実行させるように構成されており、
前記設定対象デバイスに前記代表デバイスが含まれている場合で、且つ、前記新設定データ伝送手順において前記新設定データが伝送された後に前記新設定データに変更が加えられた場合にのみ、前記代表デバイス宛新設定データ伝送手順をコンピュータに実行させる
ことを特徴とする請求項８〜請求項１２に記載の設定データ伝送プログラム。
【請求項１４】
前記代表デバイス宛新設定データ伝送手順は、前記設定対象デバイスに前記代表デバイスが含まれている場合で、且つ、前記新設定データ伝送手順において前記新設定データが伝送された後に前記新設定データに変更が加えられた場合にのみ、利用者からの指示を受ける状態となる一方、前記新設定データ伝送手順において前記新設定データが伝送された後に前記新設定データに変更が加えられていない場合には、利用者からの指示を受けない状態となる
ことを特徴とする請求項１３に記載の設定データ伝送プログラム。
【請求項１５】
前記比較手順、前記比較結果表示手順、および前記新設定データ伝送手順は、前記代表デバイスについては前記設定対象デバイスとして処理しないように構成されている
ことを特徴とする請求項８に記載の設定データ伝送プログラム。
【請求項１６】
前記比較結果表示手順において表示された前記比較結果をログとして保存するログ保存手順
をコンピュータに実行させるように構成されている請求項１〜請求項１５のいずれかに記載の設定データ伝送プログラム。
【請求項１７】
前記比較結果表示手順において前記比較結果を表示した後、利用者からキャンセル指示を受けたら、前記設定対象デバイス選択手順に戻るように構成されている請求項１〜請求項１６のいずれかに記載の設定データ伝送プログラム。
【請求項１８】
前記比較結果表示手順において前記比較結果を表示した後、利用者からリフレッシュ指示を受けたら、前記既設定データ取得手順、前記比較手順、および前記比較結果表示手順を再びコンピュータに実行させるように構成されている請求項１〜請求項１７のいずれかに記載の設定データ伝送プログラム。
【請求項１９】
前記比較結果表示手順において前記比較結果を表示した後、利用者からサーチ指示を受けたら、ネットワークを介して接続された複数のデバイスの中から、前記設定対象デバイスとなり得るデバイスをサーチする手順と、該サーチ手順において検出されたデバイスを前記設定対象デバイスとして選択する手順とをコンピュータに実行させてから、前記既設定データ取得手順、前記比較手順、および前記比較結果表示手順を再びコンピュータに実行させるように構成されている請求項１〜請求項１８のいずれかに記載の設定データ伝送プログラム。
【請求項２０】
前記設定対象デバイス選択手順は、ネットワークを介して接続された複数のデバイスの中から、前記設定対象デバイスとなり得るデバイスをサーチするサーチ手順と、利用者が任意に指定したデバイスを追加する追加手順とを有し、前記サーチ手順において検出されたデバイスと前記追加手順において追加されたデバイスを、前記設定対象デバイスとして選択する手順とされている
ことを特徴とする請求項１〜請求項１９に記載の設定データ伝送プログラム。
【請求項２１】
ネットワークを介して接続されたデバイスに対して、前記ネットワーク経由で設定データを伝送可能で、設定対象となる設定対象デバイスが複数存在する場合には、同じ設定データを複数の前記設定対象デバイスに対して伝送可能な設定データ伝送装置であって、
前記設定対象デバイスに対して、新たに伝送しようとする新設定データを決定する新設定データ決定手段と、
利用者からの指示に従って、ネットワークを介して接続された複数のデバイスの中から、１以上の前記設定対象デバイスを選択する設定対象デバイス選択手段と、
前記設定対象デバイスに対して既に設定されている既設定データを取得する手段であり、前記設定対象デバイスが複数存在する場合には、複数の前記設定対象デバイスそれぞれについて前記既設定データを取得する既設定データ取得手段と、
前記新設定データ決定手段によって決定された前記新設定データと、前記既設定データ取得手段によって取得された前記既設定データとを比較する手段であり、前記設定対象デバイスが複数存在する場合には、複数の前記設定対象デバイスそれぞれの前記既設定データについて前記新設定データとの比較を行う比較手段と、
前記比較手段によって得られた比較結果を表示する手段であり、前記設定対象デバイスが複数存在する場合には、複数の前記設定対象デバイスそれぞれについて前記比較結果を表示する比較結果表示手段と、
前記比較結果表示手段によって前記比較結果を表示した後、利用者から指示を受けたら、前記新設定データ決定手段によって決定された前記新設定データを、前記設定対象デバイスに対して伝送する手段であり、前記設定対象デバイスが複数存在する場合には、同じ前記新設定データを複数の前記設定対象デバイスに対して伝送する新設定データ伝送手段と
を備えたことを特徴とする設定データ伝送装置。
【請求項２２】
ネットワークを介して接続された複数のデバイスを備えてなり、前記複数のデバイスに対して、前記ネットワーク経由で設定データを伝送可能で、設定対象となる設定対象デバイスが複数存在する場合には、同じ設定データを複数の前記設定対象デバイスに対して伝送可能な設定データ伝送処理を、前記ネットワーク上の単一のノードが集中処理、または、前記ネットワーク上の複数のノードからなるノード群が分散処理するように構成されている設定データ伝送システムであって、
前記単一のノードまたは前記複数のノードからなるノード群が、
前記設定対象デバイスに対して、新たに伝送しようとする新設定データを決定する新設定データ決定手段と、
利用者からの指示に従って、ネットワークを介して接続された複数のデバイスの中から、１以上の前記設定対象デバイスを選択する設定対象デバイス選択手段と、
前記設定対象デバイスに対して既に設定されている既設定データを取得する手段であり、前記設定対象デバイスが複数存在する場合には、複数の前記設定対象デバイスそれぞれについて前記既設定データを取得する既設定データ取得手段と、
前記新設定データ決定手段によって決定された前記新設定データと、前記既設定データ取得手段によって取得された前記既設定データとを比較する手段であり、前記設定対象デバイスが複数存在する場合には、複数の前記設定対象デバイスそれぞれの前記既設定データについて前記新設定データとの比較を行う比較手段と、
前記比較手段によって得られた比較結果を表示する手段であり、前記設定対象デバイスが複数存在する場合には、複数の前記設定対象デバイスそれぞれについて前記比較結果を表示する比較結果表示手段と、
前記比較結果表示手段によって前記比較結果を表示した後、利用者から指示を受けたら、前記新設定データ決定手段によって決定された前記新設定データを、前記設定対象デバイスに対して伝送する手段であり、前記設定対象デバイスが複数存在する場合には、同じ前記新設定データを複数の前記設定対象デバイスに対して伝送する新設定データ伝送手段と
を備えていることを特徴とする設定データ伝送システム。
【発明の詳細な説明】
【技術分野】
【０００１】
本発明は、設定データ伝送プログラム、設定データ伝送装置、および設定データ伝送システムに関する。
【背景技術】
【０００２】
従来、１つの装置からネットワーク経由で複数の装置へ、設定データを一括送信する技術は知られている（例えば、特許文献１参照。）。
下記特許文献１に記載の技術においては、サーバ装置側で複数のファクシミリ装置に対する設定データを用意し、サーバ装置から複数のファクシミリ装置に対して設定データを一括送信している。このようなシステムであれば、複数のファクシミリ装置に対する設定を個別に行う必要がないので、複数のファクシミリ装置に対する設定変更を容易に実施することができる。
【特許文献１】特開平９−１４９０７６号公報
【発明の開示】
【発明が解決しようとする課題】
【０００３】
しかしながら、上記従来技術では、複数の装置へ設定データを一括送信することはできるものの、その一括送信に伴って各装置の設定内容に実際に変更が加えられるのかどうかを事前に確認することは困難であった。
【０００４】
特に、複数の装置それぞれの設定は、必ずしもすべて同じ設定になっているとは限らないため、例えば、複数の装置へ同じ設定データを一括送信する場合、ある装置では、元の設定データと新たに送信されてくる設定データが相違するものの、別の装置では、元の設定データと新たに送信されてくる設定データが同一になっていることがある。
【０００５】
この場合、実質的な設定データの更新が行われるのは前者だけとなるが、単に複数の装置へ設定データを一括送信するだけの従来技術では、どの装置において実質的な設定データの更新が行われるのか（あるいは更新が行われないのか）を、利用者が簡単に確認することはできない。
【０００６】
そのため、例えば、利用者の誤操作等が原因で、誤った設定データを一括送信したような場合には、予定外の装置で不要な更新が行われたり、予定していた装置で必要な更新が行われなかったりするおそれがあるが、そのような更新状況になることを、利用者が事前に知ることはできなかった。
【０００７】
本発明は、上記問題を解決するためになされたものであり、その目的は、複数のデバイスに対して設定データの一括転送を行う際に、個々のデバイスにおける設定変更の有無を確認可能な設定データ伝送プログラム、設定データ伝送装置、および設定データ伝送システムを提供することにある。
【課題を解決するための手段】
【０００８】
以下、本発明において採用した特徴的構成について説明する。
本発明の設定データ伝送プログラムは、ネットワークを介して接続されたデバイスに対して、前記ネットワーク経由で設定データを伝送可能で、設定対象となる設定対象デバイスが複数存在する場合には、同じ設定データを複数の前記設定対象デバイスに対して伝送可能な設定データ伝送処理を、コンピュータに実行させるための設定データ伝送プログラムであって、前記設定対象デバイスに対して、新たに伝送しようとする新設定データを決定する新設定データ決定手順と、利用者からの指示に従って、ネットワークを介して接続された複数のデバイスの中から、１以上の前記設定対象デバイスを選択する設定対象デバイス選択手順と、前記設定対象デバイスに対して既に設定されている既設定データを取得する手順であり、前記設定対象デバイスが複数存在する場合には、複数の前記設定対象デバイスそれぞれについて前記既設定データを取得する既設定データ取得手順と、前記新設定データ決定手順において決定された前記新設定データと、前記既設定データ取得手順において取得された前記既設定データとを比較する手順であり、前記設定対象デバイスが複数存在する場合には、複数の前記設定対象デバイスそれぞれの前記既設定データについて前記新設定データとの比較を行う比較手順と、前記比較手順において得られた比較結果を表示する手順であり、前記設定対象デバイスが複数存在する場合には、複数の前記設定対象デバイスそれぞれについて前記比較結果を表示する比較結果表示手順と、前記比較結果表示手順において前記比較結果を表示した後、利用者から指示を受けたら、前記新設定データ決定手順において決定された前記新設定データを、前記設定対象デバイスに対して伝送する手順であり、前記設定対象デバイスが複数存在する場合には、同じ前記新設定データを複数の前記設定対象デバイスに対して伝送する新設定データ伝送手順とをコンピュータに実行させるためのプログラムである。
【０００９】
この設定データ伝送プログラムに従った処理をコンピュータが実行すると、コンピュータは、まず、新設定データ決定手順において、設定対象デバイスに対して、新たに伝送しようとする新設定データを決定する。この手順における新設定データの決定方法は任意であるが、例えば、利用者が手入力した値を新設定データと決定するといった方法でよく、この場合、あらかじめ新設定データとなり得る初期値を用意しておいて、必要な場合のみ利用者に初期値を手入力で手直しさせ、初期値または手直しした値を新設定データと決定するといった方法にしてもよい。また、新設定データとなり得る複数の候補をあらかじめ用意しておいて、その複数の候補の中から１つ以上を利用者に選択させて、選択された候補を新設定データと決定するといった方法でもよい。あるいは、新設定データとしていくつかの項目がある場合、特定の項目については他の項目との関係で条件判定を行って最適な値や自己矛盾のない値を決定してもよい。新設定データとしていくつかの項目がある場合、上記のような決定方法を任意に混在させても構わない。
【００１０】
また、コンピュータは、設定対象デバイス選択手順において、利用者からの指示に従って、ネットワークを介して接続された複数のデバイスの中から、１以上の設定対象デバイスを選択する。この手順において選択される設定対象デバイスは、利用者からの指示に従って選択されるものであるが、利用者からの指示としては、特定のデバイスを指定する指示、ネットワーク上に存在するデバイスをサーチして、検出したデバイスを設定対象デバイスとすべき旨の指示などを挙げることができ、これらの指示を併用することもできる。なお、この設定対象デバイス選択手順は、上述の新設定データ決定手順より先に実施しても後に実施しても構わない。
【００１１】
設定対象デバイス選択手順において設定対象デバイスが選択されたら、引き続いて、コンピュータは、既設定データ取得手順において、設定対象デバイスに対して既に設定されている既設定データを取得する。この手順では、設定対象デバイスが複数存在する場合、複数の設定対象デバイスそれぞれについて既設定データが取得される。既設定データは、詳しくは後述するが、通常、各デバイスから直接取得されるようになっていればよく、あるいは、デバイスの既設定データを管理するデバイス管理サーバをネットワーク上に設けておくことにより、デバイス管理サーバから間接的に取得されるようになっていてもよい。
【００１２】
以上のような手順によって、新設定データおよび既設定データが確定したら、続いて、コンピュータは、比較手順において、新設定データと既設定データとを比較し、その比較結果を比較結果表示手順において表示する。設定対象デバイスが複数存在する場合、比較手順では、複数の設定対象デバイスそれぞれの既設定データについて新設定データとの比較を行い、比較結果表示手順では、複数の設定対象デバイスそれぞれについて比較結果を表示する。これにより、利用者は、複数の設定対象デバイスそれぞれについて、新設定データと既設定データとが相違するのか否かなど、比較結果を知ることができる。
【００１３】
そして、コンピュータは、比較結果表示手順の後、新設定データ伝送手順において、利用者から指示を受けたら、新設定データを設定対象デバイスに対して伝送する。設定対象デバイスが複数存在する場合、新設定データ伝送手順では、同じ新設定データを複数の設定対象デバイスに対して伝送する。この新設定データ伝送手順において、新設定データを設定対象デバイスに対して伝送するのは、利用者から指示を受けた場合なので、利用者は、比較結果表示手順において表示された比較結果を見た上で、新設定データを設定対象デバイスに対して伝送する旨の指示をコンピュータに与えるべきかどうかを判断でき、そのような指示を与えなければ、新設定データが設定対象デバイスに対して伝送されることはない。
【００１４】
したがって、この設定データ伝送プログラムを利用すれば、ネットワーク上の複数のデバイスに対して新設定データを一括送信することができ、しかも、その一括送信に伴って各デバイスの設定内容に実際に変更が加えられるのかどうかを事前に確認することができる。
【００１５】
特に、複数のデバイスそれぞれの設定は、必ずしもすべて同じ設定になっているとは限らないため、複数のデバイスへ同じ設定データを一括送信する場合、あるデバイスでは、既設定データと新設定データが相違するものの、別のデバイスでは、既設定データと新設定データが同一になっていることがあるが、上記設定データ伝送プログラムを利用すれば、比較結果表示手順において、複数の設定対象デバイスそれぞれについて比較結果を表示するので、どのデバイスにおいて実質的な設定データの更新が行われるのか（あるいは更新が行われないのか）を、利用者が簡単に確認することができる。
【００１６】
したがって、利用者の誤操作等が原因で、誤った設定データを一括送信したような場合に、予定外のデバイスで不要な更新が行われたり、予定していたデバイスで必要な更新が行われなかったりするおそれがあるが、そのような更新状況になることも、比較結果表示手順における表示結果に基づいて、利用者が事前に知ることができるので、そのような誤った設定がなされてしまうのを未然に防ぐことができる。
【００１７】
なお、本発明の設定データ伝送プログラムは、さらに次のような構成を備えていても望ましい。
まず、本発明の設定データ伝送プログラムにおいて、前記既設定データ取得手順は、前記ネットワークを介して前記設定対象デバイスから前記既設定データを取得する手順であると望ましい。
【００１８】
より具体的な例を挙げれば、設定対象デバイスが簡易ネットワーク管理プロトコル（ＳＮＭＰ：Simple Network Management Protocol）に対応している場合、コンピュータから設定対象デバイスに対してＳＮＭＰ要求を送信し、その応答として返される既設定データをコンピュータが取得することができる。もちろん、同等の仕組みを実現できればプロトコルそのものは任意なので、ＳＮＭＰ以外のプロトコルであっても構わない。
【００１９】
このような手順を採用すれば、設定対象デバイスから既設定データを直接取得することができるので、既設定データを設定対象デバイス以外から間接的に取得する場合に比べ、間違いなく最新の既設定データを取得することができる。
【００２０】
なお、既設定データを設定対象デバイス以外から間接的に取得するものとしては、次のようなものを考えることができる。例えば、ネットワーク上に存在するデバイスの既設定データを管理するとともに、必要があれば情報提供を行う機能を有するデバイス管理サーバをネットワーク上に設けておき、通常は、デバイス管理サーバが定期的または必要に応じて各デバイスにアクセスし、各デバイスの既設定データを収集する。そして、本発明の設定データ伝送プログラムに従った処理を実行するコンピュータが、既設定データ取得手順において、既設定データを取得する際には、コンピュータが個々のデバイスに問い合わせるのではなく、デバイス管理サーバに対して問い合わせを行い、これにより、ネットワーク上に存在するデバイスの既設定データをデバイス管理サーバから間接的に取得する。このようなデバイス管理サーバを設けた場合、デバイスに対して設定変更がなされた直後は、デバイス管理サーバ側の変更に多少のタイムラグがあるおそれもあるので、この点では、上述の如く設定対象デバイスから既設定データを直接取得する方が望ましい。ただし、デバイス毎に既設定データを取得するためのアクセス方法（プロトコル）が異なるような場合には、デバイス管理サーバを設けることにより、コンピュータが個々のデバイスに対するアクセス方法の相違を意識しなくてもよくなるので、コンピュータの負荷を軽減することが可能であるといった利点はある。
【００２１】
また、本発明の設定データ伝送プログラムにおいて、前記既設定データ取得手順は、前記設定対象デバイス選択手順を終えることによって前記設定対象デバイスが確定した後、前記比較手順に移行する前に、前記ネットワークを介して前記設定対象デバイスから最新の前記既設定データを取得する手順であると望ましい。
【００２２】
このような手順を採用すれば、例えば、設定対象デバイス選択手順を終える前に、いくつかの設定対象デバイスから既設定データを取得していたとしても、設定対象デバイス選択手順を終えることによって設定対象デバイスが確定した後、比較手順に移行する前には、あらためて設定対象デバイスから最新の既設定データが取得されるので、比較手順に移行する直前に、設定対象デバイスに対する設定変更がなされていたとしても、その設定変更後の既設定データを取得することができ、比較結果表示手順において正しい比較結果を表示することができる。
【００２３】
また、本発明の設定データ伝送プログラムは、前記既設定データ取得手順が、前記設定対象デバイスから前記既設定データを取得できなかった場合に、その旨を示すエラー情報を表示するエラー情報表示手順をコンピュータに実行させるように構成されていると望ましい。
【００２４】
このような手順を採用すれば、利用者は、設定対象デバイスから既設定データを取得できなかったことを知ることができるので、例えば、設定対象デバイスの電源を投入したり接続状態を確認するなど、新設定データの伝送を行うに当たって問題となる障害を事前に取り除くような対処ができる。
【００２５】
また、本発明の設定データ伝送プログラムは、利用者からの指示に従って、前記設定対象デバイス選択手順において選択された前記設定対象デバイスの中から、１以上の前記設定対象デバイスの選択を解除する選択解除手順をコンピュータに実行させるように構成されていると望ましい。
【００２６】
このような手順を採用すれば、選択解除手順において、利用者は、設定対象デバイス選択手順において選択済みの設定対象デバイスの中から、１以上の設定対象デバイスの選択を解除することができるので、一旦は選択したものの、不要であると判断したデバイスについては、任意に設定対象から外すことができる。
【００２７】
また、本発明の設定データ伝送プログラムにおいて、前記比較結果表示手順は、前記比較結果として、前記既設定データと前記新設定データとでどこが異なるのかを表示可能な手順であると望ましい。
【００２８】
このような手順を採用すれば、利用者は、単に既設定データと新設定データとが相違するということのみではなく、どこが異なるのかを具体的に知ることができるので、所期の設定変更がなされることになるのかどうかを、より正確に知ることができる。なお、この比較結果表示手順においては、既設定データと新設定データとでどこが異なるのかを、最初から画面上に表示しても構わないが、この他にも、まず第１の画面を表示して、第１の画面上に、既設定データと新設定データとが相違するということのみを表示し、続いて利用者の指示があれば第２の画面を表示し、第２の画面上に、既設定データと新設定データとでどこが異なるのかを表示するようにしてもよい。このようにすると、既設定データと新設定データとでどこが異なるのかを表示するに当たって、利用者にとっては第２の画面を表示するための指示を与える手間が増えることにはなるが、単に既設定データと新設定データとが相違するということのみわかればよいケースが多い場合には、情報過多にならないので、通常の簡潔な情報表示と必要な場合の詳細な情報表示とを両立させることができる。
【００２９】
また、本発明の設定データ伝送プログラムは、利用者からの指示に従って、前記設定対象デバイスの中から、個別設定の対象となる１以上の個別設定対象デバイスを選択する個別設定対象デバイス選択手順と、前記個別設定対象デバイスに対して、新たに伝送しようとする個別設定データを決定する個別設定データ決定手順とを、コンピュータに実行させるように構成されていてもよく、この場合、前記新設定データ伝送手順は、前記個別設定対象デバイスに対しては、前記個別設定データ決定手順において決定された前記個別設定データを伝送する一方、前記個別設定対象デバイス以外の前記設定対象デバイスに対しては、前記新設定データ決定手順において決定された前記新設定データを伝送する手順とされていると望ましい。
【００３０】
このような手順を採用すれば、設定対象デバイスに対して新設定データを伝送する際に、一部のデバイスだけ例外的に、新設定データとは異なる設定データを送信したい場合でも、そのようなデバイスについては、個別設定対象デバイス選択手順において、個別設定対象デバイスとして選択するとともに、個別設定データ決定手順において、個別設定対象デバイスに対して、新たに伝送しようとする個別設定データを決定しておくことにより、新設定データ伝送手順において、個別設定対象デバイスに対しては個別設定データを伝送する一方、個別設定対象デバイス以外の設定対象デバイスに対しては新設定データを伝送することができる。
【００３１】
また、本発明の設定データ伝送プログラムは、利用者からの指示に従って、ネットワークを介して接続された複数のデバイスの中から、１台の代表デバイスを選択する代表デバイス選択手順と、前記代表デバイスに対して既に設定されている代表設定データを取得する代表設定データ取得手順とを、コンピュータに実行させるように構成されていて、前記新設定データ決定手順は、前記代表設定データ取得手順において取得した前記代表設定データを、そのまま前記新設定データと決定するか、利用者からの指示に従って一部を変更して前記新設定データと決定する手順であると望ましい。
【００３２】
このような手順を採用すれば、代表デバイスと同じ設定または代表デバイスの設定の一部を変更した設定データを設定対象デバイスに対して伝送したい場合に、そのような設定を手入力などで構成しなくても済むので、利便性が高い。
【００３３】
また、本発明の設定データ伝送プログラムにおいて、前記比較手順、前記比較結果表示手順、および前記新設定データ伝送手順は、前記設定対象デバイス選択手順において利用者が前記代表デバイスを前記設定対象デバイスとして選択しなくても、前記代表デバイスを前記設定対象デバイスの一つとして処理するように構成されていると望ましい。
【００３４】
このような手順を採用すれば、代表デバイス自体も設定データを伝送する対象になるので、例えば、代表デバイスの設定の一部を変更した設定データを、設定対象デバイスに対して伝送する場合に、代表デバイスにも設定変更を反映させることができる。
【００３５】
あるいは、本発明の設定データ伝送プログラムにおいて、前記設定対象デバイス選択手順は、前記代表デバイスについても前記設定対象デバイスの一つとして選択可能な手順であり、前記比較手順、前記比較結果表示手順、および前記新設定データ伝送手順は、前記設定対象デバイス選択手順において利用者が前記代表デバイスを前記設定対象デバイスとして選択した場合に、前記代表デバイスを前記設定対象デバイスの一つとして処理するように構成されていても望ましい。
【００３６】
このような手順を採用すれば、設定対象デバイス選択手順において、代表デバイスについても設定対象デバイスの一つとして選択しておくことにより、代表デバイス自体も設定データを伝送する対象になるので、例えば、代表デバイスの設定の一部を変更した設定データを、設定対象デバイスに対して伝送する場合に、代表デバイスにも設定変更を反映させることができる。しかも、代表デバイスについても設定対象デバイスの一つとして選択するか否かは、利用者からの指示に従って決まるので、代表デバイスに設定データを伝送したくない場合は、そのような選択も簡単に行うことができる。
【００３７】
以上のように代表デバイスへのデータ伝送を行う構成の場合、前記新設定データ決定手順は、前記設定対象デバイスに対して伝送しようとする設定対象デバイス用データと、前記代表デバイスのみに対して伝送しようとする代表デバイス用データとを含む前記新設定データを決定する手順であってもよく、前記新設定データ伝送手順は、前記新設定データ決定手順において決定された前記新設定データのうち、前記設定対象デバイス用データを前記設定対象デバイスに対して伝送するとともに、前記代表デバイス用データを前記代表デバイスのみに対して伝送する手順であると望ましい。
【００３８】
より具体的には、本発明の設定データ伝送プログラムにおいて、前記新設定データ伝送手順は、複数の前記設定対象デバイス共通の設定項目に設定される前記設定対象デバイス用データを前記設定対象デバイスに対して伝送するとともに、前記代表デバイス固有の設定項目に設定される前記代表デバイス用データを前記代表デバイスのみに対して伝送する手順であると望ましい。
【００３９】
このような手順を採用すれば、代表デバイス以外の設定対象デバイスには、設定対象デバイス用データのみを新設定データとして伝送することができ、代表デバイスには、設定対象デバイス用データおよび代表デバイス用データの双方を、設定データとして伝送することができるので、複数の設定対象デバイス共通の設定項目については設定対象デバイス用データ、代表デバイス固有の設定項目については代表デバイス用データとあらかじめ分類しておくことで、複数の設定対象デバイス共通の設定項目と代表デバイス固有の設定項目とを意識して別々に伝送しなくても済む。
【００４０】
また、代表デバイスへのデータ伝送を行う手順としては、前記新設定データ伝送手順とは別に、利用者からの指示を受けて、前記新設定データを前記代表デバイスのみに対して伝送する代表デバイス宛新設定データ伝送手順を、コンピュータに実行させるように構成されていてもよく、前記設定対象デバイスに前記代表デバイスが含まれている場合で、且つ、前記新設定データ伝送手順において前記新設定データが伝送された後に前記新設定データに変更が加えられた場合にのみ、前記代表デバイス宛新設定データ伝送手順をコンピュータに実行させると望ましい。
【００４１】
このような手順を採用すれば、設定対象デバイスに代表デバイスが含まれている場合、新設定データ伝送手順において新設定データが伝送された後に新設定データに変更が加えられたら、コンピュータは、代表デバイス宛新設定データ伝送手順を実行するので、少なくとも代表デバイスについては、設定対象デバイスに対して伝送された新設定データに対して加えられた変更をも反映した最新の新設定データを伝送することができる。
【００４２】
この場合、さらに、前記代表デバイス宛新設定データ伝送手順は、前記設定対象デバイスに前記代表デバイスが含まれている場合で、且つ、前記新設定データ伝送手順において前記新設定データが伝送された後に前記新設定データに変更が加えられた場合にのみ、利用者からの指示を受ける状態となる一方、前記新設定データ伝送手順において前記新設定データが伝送された後に前記新設定データに変更が加えられていない場合には、利用者からの指示を受けない状態となると望ましい。
【００４３】
このような手順を採用すれば、設定対象デバイスに対して伝送された新設定データに対してさらに変更が加えられている場合、利用者からの指示を受ける状態となる一方、そのような変更が加えられていない場合には、利用者からの指示を受けない状態となるので、利用者は、利用者からの指示を受ける状態となったか否かで、設定対象デバイスに対して伝送された新設定データに対してさらに変更が加えられているか否かを判断でき、必要があれば、さらに変更が加えられた最新の新設定データを、代表デバイスに伝送することができる。
【００４４】
一方、以上のように代表デバイスへのデータ伝送を行うものの他、本発明の設定データ伝送プログラムは、前記比較手順、前記比較結果表示手順、および前記新設定データ伝送手順は、前記代表デバイスについては前記設定対象デバイスとして処理しないように構成されていてもよい。
【００４５】
このような手順を採用すれば、代表デバイスについては設定変更をいっさい加えず、且つ、設定対象デバイスについては、代表デバイスと同じ設定または代表デバイスの設定の一部を変更した設定データを設定対象デバイスに対して伝送したい場合に、確実に代表デバイスの設定を保護することができる。
【００４６】
さらに、本発明の設定データ伝送プログラムは、前記比較結果表示手順において表示された前記比較結果をログとして保存するログ保存手順をコンピュータに実行させるように構成されていても望ましい。
【００４７】
このような手順を採用すれば、後からログを確認することにより、どのデバイスにおいて設定変更がなされたのかを、簡単に確認することができる。
また、本発明の設定データ伝送プログラムは、前記比較結果表示手順において前記比較結果を表示した後、利用者からキャンセル指示を受けたら、前記設定対象デバイス選択手順に戻るように構成されていると望ましい。
【００４８】
このような手順を採用すれば、比較結果表示手順において比較結果を表示した後、その比較結果に問題があれば、利用者はキャンセル指示を与えることができ、その場合、設定対象デバイス選択手順からの処理をやり直すことができるので、利用者は簡単にデバイスの再選択を行うことができ、例えば、比較結果に問題があった場合に、設定データ伝送プログラムに基づく処理を一旦終了させざるを得ないものに比べ、操作性が改善される。
【００４９】
また、本発明の設定データ伝送プログラムは、前記比較結果表示手順において前記比較結果を表示した後、利用者からリフレッシュ指示を受けたら、前記既設定データ取得手順、前記比較手順、および前記比較結果表示手順を再びコンピュータに実行させるように構成されていると望ましい。
【００５０】
このような手順を採用すれば、比較結果表示手順において比較結果を表示した後、例えば、その比較結果からデバイスの電源断が判明すれば、デバイスの電源スイッチをオンにした上で、利用者はリフレッシュ指示を与えることができ、その場合、最初からデバイスの電源スイッチがオンになっていた場合と同等な比較結果を表示することができる。
【００５１】
また、本発明の設定データ伝送プログラムは、前記比較結果表示手順において前記比較結果を表示した後、利用者からサーチ指示を受けたら、ネットワークを介して接続された複数のデバイスの中から、前記設定対象デバイスとなり得るデバイスをサーチする手順と、該サーチ手順において検出されたデバイスを前記設定対象デバイスとして選択する手順とをコンピュータに実行させてから、前記既設定データ取得手順、前記比較手順、および前記比較結果表示手順を再びコンピュータに実行させるように構成されていると望ましい。
【００５２】
このような手順を採用すれば、比較結果表示手順において比較結果を表示した後、さらにネットワークを介して接続されたデバイスの中に、設定対象デバイスとなり得るデバイスが存在しそうな場合に、そのようなデバイスを検出することができ、その場合、新たに検出したデバイスについても、最初から選択していたデバイスと同等な比較結果を表示することができる。
【００５３】
また、本発明の設定データ伝送プログラムにおいて、前記設定対象デバイス選択手順は、ネットワークを介して接続された複数のデバイスの中から、前記設定対象デバイスとなり得るデバイスをサーチするサーチ手順と、利用者が任意に指定したデバイスを追加する追加手順とを有し、前記サーチ手順において検出されたデバイスと前記追加手順において追加されたデバイスを、前記設定対象デバイスとして選択する手順とされていると望ましい。
【００５４】
このような手順を採用すれば、設定対象デバイス選択手順において、デバイスの選択を行うに当たっては、ネットワークを介して接続された複数のデバイスの中から、設定対象デバイスとなり得るデバイスをサーチすることも、利用者が任意に指定したデバイスを追加することもできるので、例えば、何らかの原因でサーチできなかったデバイスが存在すれば、利用者が任意に指定して追加するようなことも可能となる。
【００５５】
さて次に、本発明の設定データ伝送装置は、ネットワークを介して接続されたデバイスに対して、前記ネットワーク経由で設定データを伝送可能で、設定対象となる設定対象デバイスが複数存在する場合には、同じ設定データを複数の前記設定対象デバイスに対して伝送可能な設定データ伝送装置であって、前記設定対象デバイスに対して、新たに伝送しようとする新設定データを決定する新設定データ決定手段と、利用者からの指示に従って、ネットワークを介して接続された複数のデバイスの中から、１以上の前記設定対象デバイスを選択する設定対象デバイス選択手段と、前記設定対象デバイスに対して既に設定されている既設定データを取得する手段であり、前記設定対象デバイスが複数存在する場合には、複数の前記設定対象デバイスそれぞれについて前記既設定データを取得する既設定データ取得手段と、前記新設定データ決定手段によって決定された前記新設定データと、前記既設定データ取得手段によって取得された前記既設定データとを比較する手段であり、前記設定対象デバイスが複数存在する場合には、複数の前記設定対象デバイスそれぞれの前記既設定データについて前記新設定データとの比較を行う比較手段と、前記比較手段によって得られた比較結果を表示する手段であり、前記設定対象デバイスが複数存在する場合には、複数の前記設定対象デバイスそれぞれについて前記比較結果を表示する比較結果表示手段と、前記比較結果表示手段によって前記比較結果を表示した後、利用者から指示を受けたら、前記新設定データ決定手段によって決定された前記新設定データを、前記設定対象デバイスに対して伝送する手段であり、前記設定対象デバイスが複数存在する場合には、同じ前記新設定データを複数の前記設定対象デバイスに対して伝送する新設定データ伝送手段とを備えたことを特徴とする。
【００５６】
このような設定データ伝送装置であれば、先に説明した設定データ伝送プログラムに従った処理を実行するコンピュータと同等な作用、効果を奏する。
すなわち、この設定データ伝送装置において、新設定データ決定手段は、設定対象デバイスに対して、新たに伝送しようとする新設定データを決定する。また、設定対象デバイス選択手段は、利用者からの指示に従って、ネットワークを介して接続された複数のデバイスの中から、１以上の設定対象デバイスを選択し、設定対象デバイス選択手段によって設定対象デバイスが選択されたら、既設定データ取得手段は、設定対象デバイスに対して既に設定されている既設定データを取得する。こうして、新設定データおよび既設定データが確定したら、比較手段は、新設定データと既設定データとを比較し、その比較結果が比較結果表示手段によって表示される。設定対象デバイスが複数存在する場合、比較手段は、複数の設定対象デバイスそれぞれの既設定データについて新設定データとの比較を行い、比較結果表示手段は、複数の設定対象デバイスそれぞれについて比較結果を表示する。これにより、利用者は、複数の設定対象デバイスそれぞれについて、新設定データと既設定データとが相違するのか否かなど、比較結果を知ることができる。
【００５７】
そして、比較結果表示手段が比較結果を表示した後、新設定データ伝送手段は、利用者から指示を受けたら、新設定データを設定対象デバイスに対して伝送する。設定対象デバイスが複数存在する場合、新設定データ伝送手段は、同じ新設定データを複数の設定対象デバイスに対して伝送する。この新設定データ伝送手段が新設定データを設定対象デバイスに対して伝送するのは、利用者から指示を受けた場合なので、利用者は、比較結果表示手段によって表示された比較結果を見た上で、新設定データを設定対象デバイスに対して伝送する旨の指示を新設定データ伝送手段に与えるべきかどうかを判断でき、そのような指示を与えなければ、新設定データが設定対象デバイスに対して伝送されることはない。
【００５８】
したがって、この設定データ伝送装置を利用すれば、ネットワーク上の複数のデバイスに対して新設定データを一括送信することができ、しかも、その一括送信に伴って各デバイスの設定内容に実際に変更が加えられるのかどうかを事前に確認することができる。
【００５９】
特に、複数のデバイスそれぞれの設定は、必ずしもすべて同じ設定になっているとは限らないため、複数のデバイスへ同じ設定データを一括送信する場合、あるデバイスでは、既設定データと新設定データが相違するものの、別のデバイスでは、既設定データと新設定データが同一になっていることがあるが、上記設定データ伝送装置を利用すれば、比較結果表示手段は、複数の設定対象デバイスそれぞれについて比較結果を表示するので、どのデバイスにおいて実質的な設定データの更新が行われるのか（あるいは更新が行われないのか）を、利用者が簡単に確認することができる。
【００６０】
したがって、利用者の誤操作等が原因で、誤った設定データを一括送信したような場合に、予定外のデバイスで不要な更新が行われたり、予定していたデバイスで必要な更新が行われなかったりするおそれがあるが、そのような更新状況になることも、比較結果表示手段の表示する表示結果に基づいて、利用者が事前に知ることができるので、そのような誤った設定がなされてしまうのを未然に防ぐことができる。
【００６１】
なお、以上説明した設定データ伝送装置は、上記設定データ伝送プログラムに従った処理を実行するコンピュータと同等に機能するものなので、設定データ伝送プログラムについて説明した望ましい手順をコンピュータに実行させた場合と同等に機能する手段を、上記設定データ伝送装置において採用できるのはもちろんである。
【００６２】
例えば、本発明の設定データ伝送装置において、前記既設定データ取得手段は、前記ネットワークを介して前記設定対象デバイスから前記既設定データを取得する手段であると望ましい。
【００６３】
このように構成された設定データ伝送装置によれば、設定対象デバイスから既設定データを直接取得することができるので、既設定データを設定対象デバイス以外から間接的に取得する場合に比べ、間違いなく最新の既設定データを取得することができる。
【００６４】
また、本発明の設定データ伝送装置において、前記既設定データ取得手段は、前記設定対象デバイス選択手段による選択がなされて前記設定対象デバイスが確定した後、前記比較手段による比較を行う前に、前記ネットワークを介して前記設定対象デバイスから最新の前記既設定データを取得する手段であると望ましい。
【００６５】
このように構成された設定データ伝送装置によれば、例えば、設定対象デバイス選択手段による選択が完了、確定する前に、いくつかの設定対象デバイスから既設定データを取得していたとしても、設定対象デバイス選択手段による設定対象デバイスの選択が完了、確定した後、比較手段での比較を行う前には、あらためて設定対象デバイスから最新の既設定データが取得されるので、比較手段での比較を行う直前に、設定対象デバイスに対する設定変更がなされていたとしても、その設定変更後の既設定データを取得することができ、比較結果表示手段は正しい比較結果を表示することができる。
【００６６】
また、本発明の設定データ伝送装置は、前記既設定データ取得手段が、前記設定対象デバイスから前記既設定データを取得できなかった場合に、その旨を示すエラー情報を表示するエラー情報表示手段を備えていると望ましい。
【００６７】
このように構成された設定データ伝送装置によれば、利用者は、設定対象デバイスから既設定データを取得できなかったことを知ることができるので、例えば、設定対象デバイスの電源を投入したり接続状態を確認するなど、新設定データの伝送を行うに当たって問題となる障害を事前に取り除くような対処ができる。
【００６８】
また、本発明の設定データ伝送装置は、利用者からの指示に従って、前記設定対象デバイス選択手段において選択された前記設定対象デバイスの中から、１以上の前記設定対象デバイスの選択を解除する選択解除手段を備えていると望ましい。
【００６９】
このように構成された設定データ伝送装置によれば、選択解除手段において、利用者は、設定対象デバイス選択手段において選択済みの設定対象デバイスの中から、１以上の設定対象デバイスの選択を解除することができるので、一旦は選択したものの、不要であると判断したデバイスについては、任意に設定対象から外すことができる。
【００７０】
また、本発明の設定データ伝送装置において、前記比較結果表示手段は、前記比較結果として、前記既設定データと前記新設定データとでどこが異なるのかを表示可能な手段であると望ましい。
【００７１】
このように構成された設定データ伝送装置によれば、利用者は、単に既設定データと新設定データとが相違するということのみではなく、どこが異なるのかを具体的に知ることができるので、所期の設定変更がなされることになるのかどうかを、より正確に知ることができる。なお、この比較結果表示手段においては、既設定データと新設定データとでどこが異なるのかを、最初から画面上に表示しても構わないが、この他にも、まず第１の画面を表示して、第１の画面上に、既設定データと新設定データとが相違するということのみを表示し、続いて利用者の指示があれば第２の画面を表示し、第２の画面上に、既設定データと新設定データとでどこが異なるのかを表示するようにしてもよい。このようにすると、既設定データと新設定データとでどこが異なるのかを表示するに当たって、利用者にとっては第２の画面を表示するための指示を与える手間が増えることにはなるが、単に既設定データと新設定データとが相違するということのみわかればよいケースが多い場合には、情報過多にならないので、通常の簡潔な情報表示と必要な場合の詳細な情報表示とを両立させることができる。
【００７２】
また、本発明の設定データ伝送装置は、利用者からの指示に従って、前記設定対象デバイスの中から、個別設定の対象となる１以上の個別設定対象デバイスを選択する個別設定対象デバイス選択手段と、前記個別設定対象デバイスに対して、新たに伝送しようとする個別設定データを決定する個別設定データ決定手段とを備えていてもよく、この場合、前記新設定データ伝送手段は、前記個別設定対象デバイスに対しては、前記個別設定データ決定手段において決定された前記個別設定データを伝送する一方、前記個別設定対象デバイス以外の前記設定対象デバイスに対しては、前記新設定データ決定手段において決定された前記新設定データを伝送する手段とされていると望ましい。
【００７３】
このように構成された設定データ伝送装置によれば、設定対象デバイスに対して新設定データを伝送する際に、一部のデバイスだけ例外的に、新設定データとは異なる設定データを送信したい場合でも、そのようなデバイスについては、個別設定対象デバイス選択手段において、個別設定対象デバイスとして選択するとともに、個別設定データ決定手段において、個別設定対象デバイスに対して、新たに伝送しようとする個別設定データを決定しておくことにより、新設定データ伝送手段において、個別設定対象デバイスに対しては個別設定データを伝送する一方、個別設定対象デバイス以外の設定対象デバイスに対しては新設定データを伝送することができる。
【００７４】
また、本発明の設定データ伝送装置は、利用者からの指示に従って、ネットワークを介して接続された複数のデバイスの中から、１台の代表デバイスを選択する代表デバイス選択手段と、前記代表デバイスに対して既に設定されている代表設定データを取得する代表設定データ取得手段とを備えていて、前記新設定データ決定手段は、前記代表設定データ取得手段において取得した前記代表設定データを、そのまま前記新設定データと決定するか、利用者からの指示に従って一部を変更して前記新設定データと決定する手段であると望ましい。
【００７５】
このように構成された設定データ伝送装置によれば、代表デバイスと同じ設定または代表デバイスの設定の一部を変更した設定データを設定対象デバイスに対して伝送したい場合に、そのような設定を手入力などで構成しなくても済むので、利便性が高い。
【００７６】
また、本発明の設定データ伝送装置において、前記比較手段、前記比較結果表示手段、および前記新設定データ伝送手段は、前記設定対象デバイス選択手段において利用者が前記代表デバイスを前記設定対象デバイスとして選択しなくても、前記代表デバイスを前記設定対象デバイスの一つとして処理するように構成されていると望ましい。
【００７７】
このように構成された設定データ伝送装置によれば、代表デバイス自体も設定データを伝送する対象になるので、例えば、代表デバイスの設定の一部を変更した設定データを、設定対象デバイスに対して伝送する場合に、代表デバイスにも設定変更を反映させることができる。
【００７８】
あるいは、本発明の設定データ伝送装置において、前記設定対象デバイス選択手段は、前記代表デバイスについても前記設定対象デバイスの一つとして選択可能な手段であり、前記比較手段、前記比較結果表示手段、および前記新設定データ伝送手段は、前記設定対象デバイス選択手段による選択の際に利用者が前記代表デバイスを前記設定対象デバイスとして選択した場合に、前記代表デバイスを前記設定対象デバイスの一つとして処理するように構成されていても望ましい。
【００７９】
このように構成された設定データ伝送装置によれば、設定対象デバイス選択手段において、代表デバイスについても設定対象デバイスの一つとして選択しておくことにより、代表デバイス自体も設定データを伝送する対象になるので、例えば、代表デバイスの設定の一部を変更した設定データを、設定対象デバイスに対して伝送する場合に、代表デバイスにも設定変更を反映させることができる。しかも、代表デバイスについても設定対象デバイスの一つとして選択するか否かは、利用者からの指示に従って決まるので、代表デバイスに設定データを伝送したくない場合は、そのような選択も簡単に行うことができる。
【００８０】
以上のように代表デバイスへのデータ伝送を行う構成の場合、前記新設定データ決定手段は、前記設定対象デバイスに対して伝送しようとする設定対象デバイス用データと、前記代表デバイスのみに対して伝送しようとする代表デバイス用データとを含む前記新設定データを決定する手段であってもよく、前記新設定データ伝送手段は、前記新設定データ決定手段において決定された前記新設定データのうち、前記設定対象デバイス用データを前記設定対象デバイスに対して伝送するとともに、前記代表デバイス用データを前記代表デバイスのみに対して伝送する手段であると望ましい。
【００８１】
より具体的には、本発明の設定データ伝送装置において、前記新設定データ伝送手段は、複数の前記設定対象デバイス共通の設定項目に設定される前記設定対象デバイス用データを前記設定対象デバイスに対して伝送するとともに、前記代表デバイス固有の設定項目に設定される前記代表デバイス用データを前記代表デバイスのみに対して伝送する手段であると望ましい。
【００８２】
このように構成された設定データ伝送装置によれば、代表デバイス以外の設定対象デバイスには、設定対象デバイス用データのみを新設定データとして伝送することができ、代表デバイスには、設定対象デバイス用データおよび代表デバイス用データの双方を、設定データとして伝送することができるので、複数の設定対象デバイス共通の設定項目については設定対象デバイス用データ、代表デバイス固有の設定項目については代表デバイス用データとあらかじめ分類しておくことで、複数の設定対象デバイス共通の設定項目と代表デバイス固有の設定項目とを意識して別々に伝送しなくても済む。
【００８３】
また、代表デバイスへのデータ伝送を行う手段としては、前記新設定データ伝送手段とは別に、利用者からの指示を受けて、前記新設定データを前記代表デバイスのみに対して伝送する代表デバイス宛新設定データ伝送手段を備えていてもよく、前記設定対象デバイスに前記代表デバイスが含まれている場合で、且つ、前記新設定データ伝送手段において前記新設定データが伝送された後に前記新設定データに変更が加えられた場合にのみ、前記代表デバイス宛新設定データ伝送手段を機能させると望ましい。
【００８４】
このように構成された設定データ伝送装置によれば、設定対象デバイスに代表デバイスが含まれている場合、新設定データ伝送手段において新設定データが伝送された後に新設定データに変更が加えられたら、代表デバイス宛新設定データ伝送手段が機能するので、少なくとも代表デバイスについては、設定対象デバイスに対して伝送された新設定データに対して加えられた変更をも反映した最新の新設定データを伝送することができる。
【００８５】
この場合、さらに、前記代表デバイス宛新設定データ伝送手段は、前記設定対象デバイスに前記代表デバイスが含まれている場合で、且つ、前記新設定データ伝送手段において前記新設定データが伝送された後に前記新設定データに変更が加えられた場合にのみ、利用者からの指示を受ける状態となる一方、前記新設定データ伝送手段において前記新設定データが伝送された後に前記新設定データに変更が加えられていない場合には、利用者からの指示を受けない状態となると望ましい。
【００８６】
このように構成された設定データ伝送装置によれば、設定対象デバイスに対して伝送された新設定データに対してさらに変更が加えられている場合、利用者からの指示を受ける状態となる一方、そのような変更が加えられていない場合には、利用者からの指示を受けない状態となるので、利用者は、利用者からの指示を受ける状態となったか否かで、設定対象デバイスに対して伝送された新設定データに対してさらに変更が加えられているか否かを判断でき、必要があれば、さらに変更が加えられた最新の新設定データを、代表デバイスに伝送することができる。
【００８７】
一方、以上のように代表デバイスへのデータ伝送を行うものの他、本発明の設定データ伝送装置は、前記比較手段、前記比較結果表示手段、および前記新設定データ伝送手段は、前記代表デバイスについては前記設定対象デバイスとして処理しないように構成されていてもよい。
【００８８】
このように構成された設定データ伝送装置によれば、代表デバイスについては設定変更をいっさい加えず、且つ、設定対象デバイスについては、代表デバイスと同じ設定または代表デバイスの設定の一部を変更した設定データを設定対象デバイスに対して伝送したい場合に、確実に代表デバイスの設定を保護することができる。
【００８９】
さらに、本発明の設定データ伝送装置は、前記比較結果表示手段によって表示された前記比較結果をログとして保存するログ保存手段を備えていても望ましい。
このように構成された設定データ伝送装置によれば、後からログを確認することにより、どのデバイスにおいて設定変更がなされたのかを、簡単に確認することができる。
【００９０】
また、本発明の設定データ伝送装置は、前記比較結果表示手段による前記比較結果の表示の後、利用者からキャンセル指示を受けたら、再び前記設定対象デバイス選択手段が機能するように構成されていると望ましい。
【００９１】
このように構成された設定データ伝送装置によれば、比較結果表示手段による比較結果の表示の後、その比較結果に問題があれば、利用者はキャンセル指示を与えることができ、その場合、設定対象デバイス選択手段による処理をやり直すことができるので、利用者は簡単にデバイスの再選択を行うことができ、例えば、比較結果に問題があった場合に、設定データ伝送装置に基づく処理を一旦終了させざるを得ないものに比べ、操作性が改善される。
【００９２】
また、本発明の設定データ伝送装置は、前記比較結果表示手段による前記比較結果の表示の後、利用者からリフレッシュ指示を受けたら、再び前記既設定データ取得手段、前記比較手段、および前記比較結果表示手段が機能するように構成されていると望ましい。
【００９３】
このように構成された設定データ伝送装置によれば、比較結果表示手段による比較結果の表示の後、例えば、その比較結果からデバイスの電源断が判明すれば、デバイスの電源スイッチをオンにした上で、利用者はリフレッシュ指示を与えることができ、その場合、最初からデバイスの電源スイッチがオンになっていた場合と同等な比較結果を表示することができる。
【００９４】
また、本発明の設定データ伝送装置は、前記比較結果表示手段による前記比較結果の表示の後、利用者からサーチ指示を受けたら、ネットワークを介して接続された複数のデバイスの中から、前記設定対象デバイスとなり得るデバイスをサーチし、検出されたデバイスを前記設定対象デバイスとして選択してから、前記既設定データ取得手段、前記比較手段、および前記比較結果表示手段を再び機能させると望ましい。
【００９５】
このように構成された設定データ伝送装置によれば、比較結果表示手段による比較結果の表示の後、さらにネットワークを介して接続されたデバイスの中に、設定対象デバイスとなり得るデバイスが存在しそうな場合に、そのようなデバイスを検出することができ、その場合、新たに検出したデバイスについても、最初から選択していたデバイスと同等な比較結果を表示することができる。
【００９６】
また、本発明の設定データ伝送装置において、前記設定対象デバイス選択手段は、ネットワークを介して接続された複数のデバイスの中から、前記設定対象デバイスとなり得るデバイスをサーチするサーチ手段と、利用者が任意に指定したデバイスを追加する追加手段とを有し、前記サーチ手段において検出されたデバイスと前記追加手段において追加されたデバイスを、前記設定対象デバイスとして選択する手段とされていると望ましい。
【００９７】
このように構成された設定データ伝送装置によれば、設定対象デバイス選択手段において、デバイスの選択を行うに当たっては、ネットワークを介して接続された複数のデバイスの中から、設定対象デバイスとなり得るデバイスをサーチすることも、利用者が任意に指定したデバイスを追加することもできるので、例えば、何らかの原因でサーチできなかったデバイスが存在すれば、利用者が任意に指定して追加するようなことも可能となる。
【００９８】
さて、上記設定データ伝送装置で採用した各手段は、単一の装置内にすべてを配置してあってもよいが、複数の装置内に分散させて配置してあってもよく、その場合、第１の装置が備える手段の出力データが第２の装置が備える手段の入力データとなるのであれば、第１の装置で得られた出力データをネットワークを介して第２の装置へと伝送して、そのネットワークシステム全体が、上記設定データ伝送装置と同等に機能するように構成してあればよく、そのように構成したシステムが、本発明の設定データ伝送システムに相当するものとなる。
【００９９】
すなわち、本発明の設定データ伝送システムは、ネットワークを介して接続された複数のデバイスを備えてなり、前記複数のデバイスに対して、前記ネットワーク経由で設定データを伝送可能で、設定対象となる設定対象デバイスが複数存在する場合には、同じ設定データを複数の前記設定対象デバイスに対して伝送可能な設定データ伝送処理を、前記ネットワーク上の単一のノードが集中処理、または、前記ネットワーク上の複数のノードからなるノード群が分散処理するように構成されている設定データ伝送システムであって、前記単一のノードまたは前記複数のノードからなるノード群が、前記設定対象デバイスに対して、新たに伝送しようとする新設定データを決定する新設定データ決定手段と、利用者からの指示に従って、ネットワークを介して接続された複数のデバイスの中から、１以上の前記設定対象デバイスを選択する設定対象デバイス選択手段と、前記設定対象デバイスに対して既に設定されている既設定データを取得する手段であり、前記設定対象デバイスが複数存在する場合には、複数の前記設定対象デバイスそれぞれについて前記既設定データを取得する既設定データ取得手段と、前記新設定データ決定手段によって決定された前記新設定データと、前記既設定データ取得手段によって取得された前記既設定データとを比較する手段であり、前記設定対象デバイスが複数存在する場合には、複数の前記設定対象デバイスそれぞれの前記既設定データについて前記新設定データとの比較を行う比較手段と、前記比較手段によって得られた比較結果を表示する手段であり、前記設定対象デバイスが複数存在する場合には、複数の前記設定対象デバイスそれぞれについて前記比較結果を表示する比較結果表示手段と、前記比較結果表示手段によって前記比較結果を表示した後、利用者から指示を受けたら、前記新設定データ決定手段によって決定された前記新設定データを、前記設定対象デバイスに対して伝送する手段であり、前記設定対象デバイスが複数存在する場合には、同じ前記新設定データを複数の前記設定対象デバイスに対して伝送する新設定データ伝送手段とを備えていることを特徴とする。
【０１００】
このような設定データ伝送システムであれば、ネットワーク上の単一のノードまたは複数のノードからなるノード群が、上述の設定データ伝送装置が備えていた各手段を備えているので、単一のノードが集中処理するか、複数のノードからなるノード群が分散処理を行うことにより、システム全体で上述の設定データ伝送装置と同等の機能を実現でき、上述の設定データ伝送装置と同様な作用、効果を得ることができる。
【０１０１】
なお、以上説明した設定データ伝送システムにおいても、上記設定データ伝送装置と同様の望ましい手段を採用できるのはもちろんである。
【発明を実施するための最良の形態】
【０１０２】
次に、本発明の実施形態について一例を挙げて説明する。
図１は、本発明の設定データ伝送システムに相当する構成を含むネットワークシステムの概略構成図である。
【０１０３】
このネットワークシステムは、複数のパーソナルコンピュータ（以下、ＰＣと略称する）１，１’，１”と、ルータ２と、複数のプリンタ３，４，５と、これらの機器を含む複数のノードを相互に接続するＬＡＮ（Local Area Network）７とを備えてなる。
【０１０４】
ＰＣ１，１’，１”は、本発明でいうコンピュータに相当し、ＰＣ１を例に挙げて内部構成を説明すると、周知の通り、ＣＰＵ１０１、ＲＯＭ１０２、ＲＡＭ１０３、キーボードやポインティングデバイスなどで構成される入力部１０５、表示部１０６、ハードディスクなどのストレージデバイス１０７、ＬＡＮ７に接続するために利用されるネットワークＩ／Ｆ１０８等を備えている。また、これらのハードウェアを制御するため、ＰＣ１には、マルチタスク機能を有するＯＳ（Operating System）が搭載されている。このようなＯＳの具体例としては、例えば、Ｗｉｎｄｏｗｓ（登録商標）、Ｌｉｎｕｘ（登録商標）、ＭａｃＯＳ（登録商標）などを挙げることができる。これら各ＯＳによって提供される各種機能は公知なので、ここでの詳細な説明は省略するが、以下の説明においては、ＰＣ１が、Ｗｉｎｄｏｗｓ（登録商標）によって提供される各種機能を有するとの前提で説明を続ける。ＰＣ１が備えるＣＰＵ１０１は、ＯＳのマルチタスク機能により、複数のソフトウェアに基づく処理を時分割で並列に実行することができ、そのような処理の一つとして、後から詳述する設定データ伝送処理を実行するように構成されている。なお、ＰＣ１’，１”も、機能的にはＰＣ１とほぼ同様に構成されているものなので、内部構成についての詳細な説明は省略する。
【０１０５】
ルータ２は、ルータ２を介して接続された一方のネットワークから他方のネットワークへデータを中継する装置である。
プリンタ３〜５は、本発明でいうデバイスに相当し、プリンタ３を例に挙げて内部構成を説明すると、ＣＰＵ３０１、ＲＯＭ３０２、ＲＡＭ３０３、ＮＶＲＡＭ３０４（Non Volatile RAM）、各種メッセージ等を表示するための表示部３０６、記録媒体に対して画像を記録する印刷部３０７、ＬＡＮ７に接続するために利用されるネットワークＩ／Ｆ３０８等を備えている。ＰＣ１において後述する設定データ伝送処理が実行された際には、ＰＣ１がプリンタ３〜５のいずれかから設定データを取得したり、ＰＣ１からプリンタ３〜５に対して設定データが伝送されたりする。
【０１０６】
本実施形態において、ＰＣ１とプリンタ３〜５との間で設定データをやり取りする際には、簡易ネットワーク管理プロトコル（ＳＮＭＰ：Simple Network Management Protocol）が利用され、各プリンタ３〜５には、ＳＮＭＰにおいて利用される管理情報ベース（ＭＩＢ；Management Information Base）が設けられている（例えば、プリンタ３の場合は、ＮＶＲＡＭ３０４内のＭＩＢ３１１）。ＰＣ１がプリンタ３〜５のいずれかから設定データを取得する際には、ＰＣ１がプリンタ３〜５に対してＳＮＭＰによるデータ取得要求を発行し、プリンタ３〜５は、ＰＣ１からのデータ取得要求に対する応答として、プリンタ３〜５内で管理しているＭＩＢ（例えば、プリンタ３の場合はＭＩＢ３１１）内に格納されている設定データをＰＣ１に提供する。また、ＰＣ１がプリンタ３〜５のいずれかに対して設定データを送信する際には、ＰＣ１がプリンタ３〜５に対して設定データを含む、ＳＮＭＰによるデータ設定要求を発行し、プリンタ３〜５は、ＰＣ１からのデータ設定要求に応じて、プリンタ３〜５内で管理しているＭＩＢ（例えば、プリンタ３の場合はＭＩＢ３１１）内に設定データを格納する。
【０１０７】
次に、ＰＣ１において実行される設定データ伝送処理について説明する。
本実施形態において、設定データ伝送処理としては、大別すると二種類の処理があり、一つは印刷系デバイス（＝プリンタやプリンタ機能を有するＭＦＰ（Multi-Function Product；マルチファンクションプロダクト）；本実施形態ではプリンタ３〜５など）自体の設定に関する処理（以下、第１の設定データ伝送処理という）、もう一つはその印刷系デバイスが備えるＮＩＣ（Network Interface Card；図１に例示したプリンタ３の場合、ネットワークＩ／Ｆ３０８）の設定に関する処理（以下、第２の設定データ伝送処理という）となっている。これら第１，第２の設定データ伝送処理を比較すると、起動のためのＵＩ（ユーザーインターフェース）、設定対象、個々の設定項目などは、両処理で異なっているものの、処理全体の流れについては、一部を除き、両処理でほぼ同様の処理となっている。
【０１０８】
そこで、以下の説明では、上記第１，第２の設定データ伝送処理で相違する箇所がある場合にのみ、その相違点について詳述することにし、相違点がない場合は、上記第１，第２の設定データ伝送処理を、特に区別することなく設定データ伝送処理として説明することにする。
【０１０９】
まず、第１，第２の設定データ伝送処理それぞれを開始するまでのＵＩについて説明する。
第１の設定データ伝送処理を開始したい場合、利用者は、まずＰＣ１においてデバイス設定管理ツールを起動する。すると、ＰＣ１の表示部には、図２に示すような、デバイス設定管理ツール初期画面１１が表示される。このデバイス設定管理ツール初期画面１１には、ネットワーク上で検出された印刷系デバイス（プリンタやＭＦＰ；本実施形態ではプリンタ３〜５など）が一覧表示される。このデバイス設定管理ツール初期画面１１において、１つの印刷系デバイスを代表デバイスとして選択して、図３に示すように、デバイス設定管理ツール初期画面１１内にあるメニューバー上で「Control」をクリック（＝ポインティングデバイスを使って「Control」をポイントして、ポインティングデバイスが有するボタンを押す操作；以下、単にクリックという）し、そのクリックに伴って表示されるプルダウンメニューの中で、「Configure Printer」をクリックすると、図４に示すような、プリンタ設定機能初期画面１３が表示される。このプリンタ設定機能初期画面１３は、印刷系デバイス（プリンタやＭＦＰ）の設定を行うための画面で、プリンタ設定機能初期画面１３内には、デバイス設定管理ツール初期画面１１において選択した１つの印刷系デバイスに関し、現在設定されている設定内容などが表示されている。このプリンタ設定機能初期画面１３において、図５に示すように、画面内にあるメニューバー上で「Config」をクリックし、そのクリックに伴って表示されるプルダウンメニューの中で、「Send Settings to Printer(s)」をクリックすると、ＰＣ１は、第１の設定データ伝送処理を開始することになる。
【０１１０】
一方、第２の設定データ伝送処理を開始したい場合、利用者は、まずＰＣ１において上述のデバイス設定管理ツールを起動して、上述のデバイス設定管理ツール初期画面１１を表示した後、デバイス設定管理ツール初期画面１１（図２参照）において、１つの印刷系デバイスを代表デバイスとして、その代表デバイスをダブルクリックするか、あるいは、その代表デバイスをクリックした上で、デバイス設定管理ツール初期画面１１内にあるメニューバー上で「Control」をクリックし、そのクリックに伴って表示されるプルダウンメニューの中で、「Configure Print Server」をクリックすると、図６に示すような、ＮＩＣ設定ダイアログ１５が表示される。このＮＩＣ設定ダイアログ１５において、画面内の「General」タブにあるSendボタン１７をクリックすると、ＰＣ１は、第２の設定データ伝送処理を開始することになる。
【０１１１】
以下、第１，第２の設定データ伝送処理を開始した後の説明については、特に断りがない限り、両処理を区別することなく設定データ伝送処理として説明を続ける。
設定データ伝送処理を開始すると、ＰＣ１は、図７に示すように、まず“Send Settings to Printer(s)”ダイアログ処理を実行する（Ｓ１０１）。この“Send Settings to Printer(s)”ダイアログ処理は、詳しくは図８に示すような処理となる。
【０１１２】
“Send Settings to Printer(s)”ダイアログ処理を開始すると、ＰＣ１は、図８に示すように、“Send Settings to Printer(s)”ダイアログ２１（図９参照）を表示する（Ｓ２０１）。“Send Settings to Printer(s)”ダイアログ２１は、図９に示すように、送信対象選択用ラジオボタン２３、設定送信種類切り替え指示欄２５、デバイスリスト表示欄２７、Searchボタン２９、Removeボタン３１、Addデバイス入力テキストボックス３３、Addボタン３５、OKボタン３７、Cancelボタン３９などを備えた画面である。初期表示状態では、送信対象選択用ラジオボタン２３は“Current Printer”にセットされ、設定送信種類切り替え指示欄２５、デバイスリスト表示欄２７、Searchボタン２９、Removeボタン３１、Addデバイス入力テキストボックス３３、Addボタン３５は、全てグレーアウト表示（＝利用者が操作できないことを示す表示状態；以下同様）となっている。また、処理内容の詳細については後述するが、利用者が送信対象選択用ラジオボタン２３を“Multiple Printers”にした場合、図１０に示すように、設定送信種類切り替え指示欄２５、デバイスリスト表示欄２７、Searchボタン２９、Addデバイス入力テキストボックス３３、Addボタン３５のグレーアウト表示は解除される。グレーアウト表示が解除された場合、設定送信種類切り替え指示欄２５においては、１：Send all Current Values、２：Send all Update Values、３：Send Current and Update Values、以上３つの選択肢のうち、いずれかを選択できるようになる。さらに、後述する処理の中で、デバイスリスト表示欄２７に１以上の印刷系デバイス（以下、単にデバイスという）が表示された（選択状態とされた）場合に、Removeボタン３１のグレーアウト表示は解除される。
【０１１３】
以上のような“Send Settings to Printer(s)”ダイアログ２１を表示したら、続いて、ＰＣ１は、“Send Settings to Printer(s)”のデバイスリスト（デバイスリスト表示欄２７の内容）を表示する（Ｓ２０３）。初期表示状態では、上述の通り、デバイスリスト表示欄２７はグレーアウト表示となっており、実際には表示を行わない（図９参照）。また、後述の処理で、利用者が送信対象選択用ラジオボタン２３を“Multiple Printers”にした場合、グレーアウト表示は解除され、デバイスの検索が自動的に実施される。デバイスの検索で検出されたデバイスに関する情報はデバイスリストに登録され、その情報がデバイスリスト表示欄２７に表示されることになる（図１０参照）。
【０１１４】
Ｓ２０３の処理を終えたら、ＰＣ１は、“Send Settings to Printer(s)”ダイアログ２１のボタンとキーの入力を受け付ける（Ｓ２０５）。ここで、利用者は、ＰＣ１の入力部を利用し、送信対象選択用ラジオボタン２３の切り替え入力、設定送信種類切り替え指示欄２５の切り替え入力、Addデバイス入力テキストボックス３３へのアドレス入力、Searchボタン２９、Removeボタン３１、Addボタン３５、OKボタン３７、またはCancelボタン３９の押下操作などを行うことができる。
【０１１５】
そして、Ｓ２０５の処理において、Addデバイス入力テキストボックス３３へのアドレス入力が行われていた場合（Ｓ２０７：ＹＥＳ）、Addデバイス入力テキストボックス３３への文字列入力に関する処理を行い（Ｓ２０９）、Ｓ２０５の処理へと戻る。
【０１１６】
また、Ｓ２０５の処理において、Addデバイス入力テキストボックス３３へのアドレス入力ではなく（Ｓ２０７：ＮＯ）、Addボタン３５が押されていた場合は（Ｓ２１１：ＹＥＳ）、Ｓ２０７の処理にてAddデバイス入力テキストボックス３３にアドレスを入力することによって指定されたデバイスについて、デバイスリストに追加する処理を実行する（Ｓ２１３）。このＳ２１３の処理は、詳しくは図１１に示すような処理となる。
【０１１７】
すなわち、ＰＣ１は、図１１に示すように、まず、Addデバイス入力テキストボックス３３に入力されたアドレスを持つデバイスからノード名、ロケーション等の情報を取得する（Ｓ３０１）。ここで、情報の取得に成功した場合は（Ｓ３０３：ＹＥＳ）、デバイスリストにデバイスを追加する（Ｓ３０５）。その結果、デバイスリスト表示欄２７には、Addデバイス入力テキストボックス３３に入力されたアドレスを持つデバイスについての情報が追加表示される。一方、Ｓ３０１の処理で、情報の取得に失敗した場合は（Ｓ３０３：ＮＯ）、通信エラーのメッセージボックスを表示してRetry／Cancelボタンの入力を待つ（Ｓ３０７）。ここで、利用者がRetry／Cancelボタンのいずれかを押下するとＳ３０７の処理を抜け、Retryボタンが入力された場合は（Ｓ３０９：Retry）、Ｓ３０１の処理へと戻る。そして、Ｓ３０５の処理を終えるか、Ｓ３０７の処理においてCancelボタンが入力されていた場合は（Ｓ３０９：Cancel）、図１１に示した処理を終了し、これにより、図８に示したＳ２１３の処理を終えることになるので、Ｓ２０３の処理へと戻る。
【０１１８】
また、Ｓ２０５の処理において、Addボタン３５が押されたのではなく（Ｓ２１１：ＮＯ）、Removeボタン３１が押されていた場合は（Ｓ２１５：ＹＥＳ）、デバイスリストから指定デバイスを削除して（Ｓ２１７）、Ｓ２０３の処理へと戻る。削除するデバイスの指定は、Removeボタン３１を押す前にデバイスリスト表示欄２７において行われ、Removeボタン３１を押すと、デバイスリスト表示欄２７において指定されていたデバイスが、デバイスリスト表示欄２７から削除される。
【０１１９】
また、Ｓ２０５の処理において、Removeボタン３１が押されたのではなく（Ｓ２１５：ＮＯ）、Searchボタン２９が押されていた場合は（Ｓ２１９：ＹＥＳ）、ネットワーク上のデバイスの検索を実行し、デバイスリストを更新する（Ｓ２２１）。より具体的には、ＰＣ１は、ＳＮＭＰを利用して、デバイスからの応答を要求するパケットをブロードキャストして、数秒間応答を待つ。ここで、ネットワーク上のデバイスの中に、上記パケットに対する応答を返すことができるデバイスが存在する場合、そのデバイスは応答を返す。また、上記パケットに対する応答を返すことができないデバイスは、受信したパケットを単に破棄する。したがって、ＰＣ１は、パケットに対する応答を取得し、この応答を返したデバイスについて、本システムによる設定対象となるデバイスと認識してデバイスリストを更新し、デバイスリスト表示欄２７に追加表示する。そして、Ｓ２２１の処理を終えたら、Ｓ２０３の処理へと戻る。なお、このＳ２２１の処理では、利用者が望まないデバイスまで追加されることがあるが、その場合は、上述したRemoveボタン３１を利用して不要なデバイスについて削除（選択の解除）を行えばよい。
【０１２０】
また、Ｓ２０５の処理において、Searchボタン２９が押されたのではなく（Ｓ２１５：ＮＯ）、送信対象選択用ラジオボタン２３および設定送信種類切り替え指示欄２５を利用して設定送信種類の切り替え操作が行われた場合は（Ｓ２２３：ＹＥＳ）、設定送信の種類を変更して、その変更に合わせてダイアログ２１内のグレーアウト状態等も変更し、ダイアログ２１内の再表示を行う（Ｓ２２５）。そして、必要に応じてデバイスの検索とデバイスリストの更新を行う（Ｓ２２７）。このＳ２２７の処理は、詳しくは図１２に示すような処理となる。
【０１２１】
すなわち、ＰＣ１は、図１２に示すように、まず、送信対象選択用ラジオボタン２３で、“Multiple Printers”が選択されていば（Ｓ４０１：ＹＥＳ）、デバイスリスト作成済みでない場合は（Ｓ４０３：ＮＯ）、デバイスの検索を行って、新たにデバイスリストを作成し（Ｓ４０５）、既にデバイスリスト作成済みである場合は（Ｓ４０３：ＹＥＳ）、Ｓ４０５の処理をスキップする。そして、設定送信種類切り替え指示欄２５において“Send all Current Values”が指定されておらず（Ｓ４０７：ＮＯ）、且つ、“Send Current and Update Values”も指定されていない場合（Ｓ４０９：ＮＯ）、“Send all Update Values”が指定されていることになるので、デバイスリスト内のカレントデバイス（＝第１，第２の設定データ伝送処理それぞれを開始するまでのＵＩで選択した代表デバイス）を示すエントリを有効とする（Ｓ４１１）。このＳ４１１の処理により、デバイスリスト内で有効とされたエントリは、以後、表示や設定送信などの処理を行う際に、処理対象とされることになる。また、設定送信種類切り替え指示欄２５において“Send all Current Values”が指定されておらず（Ｓ４０７：ＮＯ）、且つ、“Send Current and Update Values”が指定されていた場合（Ｓ４０９：ＹＥＳ）、カレントデバイスに対して未反映の更新設定値があるかどうかをチェックする（Ｓ４１３）。ここで、未反映の更新設定値があれば（Ｓ４１３：ＹＥＳ）、デバイスリスト内のカレントデバイス（＝代表デバイス）を示すエントリを有効とし（Ｓ４１１）、未反映の更新設定値がなければ（Ｓ４１３：ＮＯ）、デバイスリスト内のカレントデバイス（＝代表デバイス）を示すエントリを無効とする（Ｓ４１５）。このＳ４１５の処理により、デバイスリスト内で無効とされたエントリは、以後、表示や設定送信などの処理を行う際に、処理対象から除外されることになる。また、設定送信種類切り替え指示欄２５において“Send all Current Values”が指定されていれば（Ｓ４０７：ＹＥＳ）、デバイスリスト内のカレントデバイス（＝代表デバイス）を示すエントリを無効とする（Ｓ４１５）。一方、Ｓ４０１の処理において、送信対象選択用ラジオボタン２３で、“Multiple Printers”が選択されていなければ（Ｓ４０１：ＮＯ）、“Current Printer”が選択されていることになるので、デバイスリストを削除する（Ｓ４１７）。こうして図１２中にあるＳ４１１，Ｓ４１５，Ｓ４１７の処理のいずれかを終えると、図１２に示した処理を終え、その結果、図８に示したＳ２２７の処理を終えたことになるので、Ｓ２０３の処理へと戻る。
【０１２２】
また、Ｓ２０５の処理において、設定送信種類の切り替え操作が行われておらず（Ｓ２２３：ＮＯ）、OKボタン３７が押された場合（Ｓ２２９：ＹＥＳ）、あるいはCancelボタン３９が押された場合は（Ｓ２２９：ＮＯ，Ｓ２３１：ＹＥＳ）、“Send Settings to Printer(s)”ダイアログ２１の表示を消去する（Ｓ２３３）。OKボタン３７は、処理の続行を指示するボタンであり、Cancelボタン３９は、処理の中止を指示するボタンであるが、ここで処理続行を指示したか処理中止を指示したかは、後述するＳ１０３の処理で参照されることになる。なお、Ｓ２０５の処理において、Cancelボタン３９が押されていない場合は（Ｓ２３１：ＮＯ）、有効な操作がなされていないことになるので、そのままＳ２０５の処理へと戻る。
【０１２３】
こうして図８中にあるＳ２３３の処理を終えると、図８に示した“Send Settings to Printer(s)”ダイアログ処理を終了し、その結果、図７に示したＳ１０１の処理を終えたことになるので、続いて、ＰＣ１は、図７に示した通り、上述のＳ２０５の処理においてOKボタン３７が押されたのか否かを判断する（Ｓ１０３）。ここで、OKボタン３７が押されていなかった場合は（Ｓ１０３：ＮＯ）、Cancelボタン３９が押されていたことになるので、以降の処理は中止して、そのまま設定データ伝送処理を終えることになる。
【０１２４】
一方、OKボタン３７が押されていた場合は（Ｓ１０３：ＹＥＳ）、送信実行確認ダイアログ処理を実行する（Ｓ１０５）。この送信実行確認ダイアログ処理は、詳しくは図１３に示すような処理となる。
【０１２５】
送信実行確認ダイアログ処理を開始すると、ＰＣ１は、図１３に示すように、送信実行確認ダイアログ４１（図１４参照）を表示する（Ｓ５０１）。送信実行確認ダイアログ４１は、デバイスへ設定データを送信した場合に設定変更がなされるか否かを示す情報や、デバイスが現在通信可能な状態にあるか否かを示す情報などを表示するためのダイアログで、図１４に示すように、デバイスリスト表示欄４３、Searchボタン４５、Refreshボタン４７、Removeボタン４９、Cancelボタン５１、Sendボタン５３などを備えた画面となっている。ただし、図１４中、デバイスリスト表示欄４３内の個々の情報は、後述するＳ５０５の処理において表示されることになる。
【０１２６】
送信実行確認ダイアログ４１を表示したら、続いて、ＰＣ１は、デバイスの設定値取得処理を実行する（Ｓ５０３）。このＳ５０３の処理は、詳しくは図１５に示すような処理となる。
【０１２７】
すなわち、ＰＣ１は、図１５に示すように、まず、設定値取得中デバイスを示す番号を初期化する（Ｓ６０１）。この設定値取得中デバイスを示す番号は、デバイスリスト（＝初期値は、先に説明した“Send Settings to Printer(s)”ダイアログ処理にて生成されたデバイスリスト。ただし、後述の処理で更新されることもあり。）内のエントリを先頭から順に処理するための指標として用いられる変数であり、Ｓ６０１の処理では、例えば、デバイスリスト内の先頭エントリを指し示すため、設定値取得中デバイスを示す番号ｉがｉ＝１として初期化される。続いて、ＰＣ１は、全デバイス処理済みか否かを判断する（Ｓ６０３）。ここでは、例えば、全デバイスがｎ台ある場合、上述の設定値取得中デバイスを示す番号ｉがｉ≦ｎか否かを判断すればよい。Ｓ６０３の処理で、全デバイス処理済みでないと判断された場合（Ｓ６０３：ＮＯ）、設定値取得中デバイスから設定値を取得する（Ｓ６０５）。ここで、設定値取得中デバイスとは、デバイスリスト内にあるｎ台のデバイスのうち、デバイスリスト中でｉ番目（ｉは設定値取得中デバイスを示す番号）のエントリに対応するデバイスのことである。設定値取得中デバイスからの設定値の取得は、具体的には、ＳＮＭＰプロトコルを利用し、ＰＣ１が設定値取得中デバイスに対してデータ取得要求を発行し、設定値取得中デバイスが、ＰＣ１からのデータ取得要求に対する応答として、設定値取得中デバイスが内部的に管理しているＭＩＢ（例えば、プリンタ３の場合はＭＩＢ３１１）内に格納されている設定データをＰＣ１に提供する。また、各デバイスから設定値を取得する設定項目は、先に説明した“Send Settings to Printer(s)”ダイアログ２１の設定送信種類切り替え指示欄２５にて選択された設定送信の種類に応じて変わる。具体的には、設定送信の種類が“Send all Current Values”または“Send Current and Update Values”の場合は、全ての設定項目（但し、デバイスで設定可能な全項目ではなく、本設定データ伝送処理での設定対象としてデバイスのモデル毎にあらかじめ決められているいくつかの項目すべて）、“Send all Update Values”の場合は実際に更新する予定になっている設定項目、以上の設定項目について設定値が取得される。ＰＣ１では、設定値取得中デバイスから設定値を取得できたか否かを判断し（Ｓ６０７）、設定値を取得できた場合は（Ｓ６０７：ＹＥＳ）、設定値をデバイスリストに（＝デバイスリスト内の該当デバイスエントリに）登録する（Ｓ６０９）。このとき、取得した設定値が送信しようとしている設定値と全て一致するなら“Identical”、一部でも相違するなら“Change”、以上いずれかの状態情報も併せてデバイスリストに登録する。また、設定値を取得できなかった場合は（Ｓ６０７：ＮＯ）、エラー情報をデバイスリストに（＝デバイスリスト内の該当デバイスエントリに）書き込む（Ｓ６１１）。具体的には、上述の状態情報（“Identical”または“Change”）の代わりに、状態情報として“Connection Error”を登録する。そして、Ｓ６０９またはＳ６１１いずれかの処理を終えたら、設定取得中デバイスを示す番号を更新して（Ｓ６１３）、Ｓ６０３の処理へと戻る。Ｓ６１３の処理は、例えば、設定値取得中デバイスを示す番号ｉを１だけカウントアッ��する処理となる。こうしてＳ６０３〜Ｓ６１３の処理を繰り返すと、デバイスリスト内のエントリが順に処理されて最終的に全デバイスが処理されるので、Ｓ６０３の処理において全デバイス処理済みとの判断がなされ（Ｓ６０３：ＹＥＳ）、図１５に示した処理を終了し、これにより、図１３に示したＳ５０３の処理を終えることになる。なお、上記Ｓ６０３〜Ｓ６１３の処理では、１からｎまでカウントアップされる変数ｉを指標として用いたが、デバイスリスト内のデバイスエントリを順に指定する方法は任意であり、たとえばリスト内の各デバイスエントリをメモリ上のアドレス値で指し示すポインタ変数等を使っても構わない。
【０１２８】
こうしてＳ５０３の処理を終えたら、引き続いて、ＰＣ１は、図１３に示すように、送信実行確認ダイアログ４１のデバイスリストを表示する（Ｓ５０５）。このＳ５０５の処理により、図１４中のデバイスリスト表示欄４３内には、個々のデバイスに関する情報が表示され、各デバイス毎に上述のＳ６０９またはＳ６１１いずれかの処理でデバイスリストに登録された状態情報（“Identical”／“Change”／“Connection Error”）が表示される。
【０１２９】
続いて、ＰＣ１は、送信実行確認ダイアログ４１のボタン入力を受け付ける（Ｓ５０７）。ここで、利用者は、ＰＣ１の入力部を利用し、Searchボタン４５、Refreshボタン４７、Removeボタン４９、Cancelボタン５１、またはSendボタン５３の押下操作などを行うことができる。
【０１３０】
そして、Ｓ５０７の処理において、Removeボタン４９が押されていた場合は（Ｓ５０９：ＹＥＳ）、デバイスリストから指定デバイスを削除して（Ｓ５１１）、Ｓ５０５の処理へと戻る。削除するデバイスの指定は、Removeボタン４９を押す前にデバイスリスト表示欄４３において行われ、Removeボタン４９を押すと、デバイスリスト表示欄４３において指定されていたデバイスが、デバイスリスト表示欄４３から削除される。なお、Removeボタン４９は初期表示状態でグレーアウト表示となっているが（図１４参照）、図１６に示すように、デバイスリスト表示欄４３において削除するデバイスが指定された（選択状態とされた）場合に、Removeボタン４９のグレーアウト表示は解除される。
【０１３１】
また、Ｓ５０７の処理において、Removeボタン４９が押されたのではなく（Ｓ５０９：ＮＯ）、Refreshボタン４７が押されていた場合は（Ｓ５１３：ＹＥＳ）、Ｓ５０３の処理へと戻る。これにより、再びＳ５０３のデバイスの設定値取得処理が実行され、デバイスリスト表示欄４３内の情報が最新の情報に更新される。
【０１３２】
また、Ｓ５０７の処理において、Refreshボタン４７が押されたのではなく（Ｓ５１３：ＮＯ）、Searchボタン４５が押されていた場合は（Ｓ５１５：ＹＥＳ）、ネットワーク上のデバイスの検索を実行し、デバイスリストを作り直す（Ｓ５１７）。より具体的には、ＰＣ１は、ＳＮＭＰを利用して、デバイスからの応答を要求するパケットをブロードキャストして、数秒間応答を待つ。ここで、ネットワーク上のデバイスの中に、上記パケットに対する応答を返すことができるデバイスが存在する場合、そのデバイスは応答を返す。また、上記パケットに対する応答を返すことができないデバイスは、受信したパケットを単に破棄する。したがって、ＰＣ１は、パケットに対する応答を取得し、この応答を返したデバイスについて、本システムによる設定対象となるデバイスと認識してデバイスリストを作り直し、デバイスリスト表示欄４３内の情報を再表示する。このＳ５１７の処理を終えたら、Ｓ５０３の処理へと戻る。なお、このＳ５１７の処理では、利用者が望まないデバイスまで追加されることがあるが、その場合は、上述したRemoveボタン４９を利用して不要なデバイスについて削除（選択の解除）を行えばよい。
【０１３３】
また、Ｓ５０７の処理において、Searchボタン４５が押されたのではなく（Ｓ５１５：ＮＯ）、Sendボタン５３が押されていた場合は（Ｓ５１９：ＹＥＳ）、上述の状態情報（“Identical”／“Change”／“Connection Error”）を含むデバイスリストの内容を、ログファイルとして記録し（Ｓ５２１）、送信実行確認ダイアログ４１の表示を消去して（Ｓ５２３）、送信実行確認ダイアログ処理を終了する。
【０１３４】
また、Ｓ５０７の処理において、Sendボタン５３が押されたのではなく（Ｓ５１９：ＮＯ）、Cancelボタン５１が押されていた場合は（Ｓ５２７：ＹＥＳ）、送信実行確認ダイアログ４１の表示を消去して（Ｓ５２３）、送信実行確認ダイアログ処理を終了する。
【０１３５】
つまり、Sendボタン５３が押されていた場合、Cancelボタン５１が押されていた場合、いずれの場合とも、Ｓ５２３の処理を実行した上で、送信実行確認ダイアログ処理を終了することになるが、Sendボタン５３が押されていた場合は、Ｓ５２１の処理が実行されるのに対し、Cancelボタン５１が押されていた場合は、Ｓ５２１の処理が実行されないことになる。なお、Sendボタン５３は、処理の続行を指示するボタンに相当し、Cancelボタン５１は、処理の中止を指示するボタンであるが、ここで処理続行を指示したか処理中止を指示したかは、後述するＳ１０７の処理で参照されることになる。
【０１３６】
ところで、Ｓ５０７の処理において、Cancelボタン５１が押されてたのではなく（Ｓ５２７：ＮＯ）、デバイスリスト表示欄４３内の１デバイスがダブルクリックされてもいない場合は（Ｓ５２９：ＮＯ）、有効な操作がなされていないことになるので、そのままＳ５０７の処理へと戻る。一方、デバイスリスト表示欄４３内に表示されたデバイスのうち、いずれかがダブルクリックされていた場合（Ｓ５２９：ＹＥＳ）、ＰＣ１は、設定変更内容詳細ウィンドウ処理を実行する。
【０１３７】
この設定変更内容詳細ウィンドウ処理は、ダブルクリックされた特定のデバイスについて個別設定を行うための処理であり、この設定変更内容詳細ウィンドウ処理の対象とされなかったデバイスについては、代表デバイスと同内容の設定データまたはこの設定データの一部を変更した設定データが、後述する処理の中で送信されるのに対し、この設定変更内容詳細ウィンドウ処理において個別設定が行われた個別設定対象デバイスについては、この設定変更内容詳細ウィンドウ処理内で設定された個別設定データが、後述する処理の中で送信されることになる。この設定変更内容詳細ウィンドウ処理は、詳しくは図１７に示すような処理となる。
【０１３８】
設定変更内容詳細ウィンドウ処理を開始すると、ＰＣ１は、図１７に示すように、設定変更内容詳細ウィンドウを表示する（Ｓ７０１）。デバイス本体とデバイスが備えるＮＩＣとで設定項目が異なるため、デバイス本体の設定を行う第１の設定データ伝送処理と、デバイスが備えるＮＩＣの設定を行う第２の設定データ伝送処理とでは、設定変更内容詳細ウィンドウの表示内容に違いがあり、具体的には、第１の設定データ伝送処理の場合は図１８に示すような設定変更内容詳細ウィンドウ５５、第２の設定データ伝送処理の場合は図１９に示すような設定変更内容詳細ウィンドウ５７が表示される。
【０１３９】
これら設定変更内容詳細ウィンドウ５５，５７において、“Item”は、設定値を送信する設定項目、“Current Value”は個別設定対象デバイスから取得した設定値、“Update Value”は設定送信により更新される設定値である。“Update Value”が空欄となっている項目は、“Current Value”と“Update Vaule”が同一であることを示している。また、デバイスリスト表示欄４３において、“Connection Error”が表示されているデバイスをダブルクリックした場合も、設定変更内容詳細ウィンドウ５５，５７は表示されるが、その場合は、“Current Value”、“Update Vaule”ともに空欄となる。なお、これら二種類の設定変更内容詳細ウィンドウ５５，５７は、設定項目の内容に違いがあるだけで、機能的にはまったく同等なものである。
【０１４０】
続いて、ＰＣ１は、マウス／キーの入力を受け付ける（Ｓ７０３）。このＳ７０３の処理において、設定変更内容詳細ウィンドウ５５，５７内にある個々の設定項目がダブルクリックされた場合、ＰＣ１は、設定値の変更が指示されたものと判断し（Ｓ７０５：ＹＥＳ）、設定値変更処理を実行する（Ｓ７０７）。この設定値変更処理は、詳しくは図２０に示すような処理となる。
【０１４１】
設定値変更処理を開始すると、ＰＣ１は、図２０に示すように、設定値変更ダイアログを表示する（Ｓ８０１）。この設定値変更ダイアログは、設定変更内容詳細ウィンドウ５５，５７内にあるどの設定項目をダブルクリックしたかにより、表示内容の若干異なるものが表示されるが、例えば、設定変更内容詳細ウィンドウ５５内にある設定項目“Paper Size”をダブルクリックした場合、図２１に示すような、“Paper Size”設定用の設定値変更ダイアログ６１が表示される。この設定値変更ダイアログ６１は、図２１に示すように、設定値選択欄６３、OKボタン６５、Cancelボタン６７などを備えており、これらは設定項目によらず共通となっている。
【０１４２】
このような設定値変更ダイアログを表示したら、続いて、ＰＣ１は、マウス／キーの入力を受け付ける（Ｓ８０３）。このＳ８０３の処理において、設定値選択欄６３に表示された設定値のいずれかがクリックされたら、設定値変更入力がなされたと判断し（Ｓ８０５：ＹＥＳ）、その設定値の変更を設定値選択欄６３の表示に反映させ（Ｓ８０７）、Ｓ８０３の処理へと戻る。
【０１４３】
また、Ｓ８０３の処理において、設定値変更入力がなされたのではなく（Ｓ８０５：ＮＯ）、OKボタン６５が押されていた場合は（Ｓ８０９：ＹＥＳ）、その設定値変更をデバイスリスト内の対象デバイスを示すエントリに反映する（Ｓ８１１）。これにより、デバイスリスト内にある個別設定対象デバイスのエントリには、個別設定データが登録されることになる。この個別設定データは、個別設定対象デバイス固有の設定であり、他の設定対象デバイスにおいて共通する設定値変更とは別に記憶される。そして、設定値変更ダイアログ６１の表示を消去して（Ｓ８１３）、図２０に示した設定値変更処理を終了する。
【０１４４】
なお、Ｓ８０３の処理において、OKボタン６５が押されたのではなく（Ｓ８０９：ＮＯ）、Cancelボタン６７が押されていた場合は（Ｓ８１５：ＹＥＳ）、上述のＳ８１１の処理を実行することなく、上述のＳ８１３の処理を実行した上で、設定値変更処理を終了する。また、Ｓ８０３の処理において、Cancelボタン６７が押されていない場合は（Ｓ８１５：ＮＯ）、有効な操作がなされていないことになるので、そのままＳ８０３の処理へと戻る。
【０１４５】
以上のようにしてＳ８０１〜Ｓ８１３の処理を終えると、図１７に示したＳ７０７の処理を終えたことになるので、引き続いて、ＰＣ１は、Ｓ７０７の処理において設定値が変更されたか否かを判断する（Ｓ７０９）。具体的には、Ｓ７０９の処理では、上述のＳ８０３の処理において、OKボタン６５が押されたのかCancelボタン６７が押されたのかを判断すればよい。そして、Ｓ７０７の処理において設定値が変更されていた場合は（Ｓ７０９：ＹＥＳ）、設定値変更を設定変更内容詳細ウィンドウ５５，５７に反映し（Ｓ７１１）、Ｓ７０３の処理へと戻り、Ｓ７０７の処理において設定値が変更されていなかった場合は（Ｓ７０９：ＮＯ）、上記Ｓ７１１の処理を実行することなく、Ｓ７０３の処理へと戻る。
【０１４６】
一方、上記Ｓ７０３の処理において、設定変更内容詳細ウィンドウ５５，５７内にある個々の設定項目がダブルクリックされていない場合（すなわち、設定値の変更が指示されていない場合）は（Ｓ７０５：ＮＯ）、終了指示（例えば、ウィンドウ右上の×ボタンをクリック、Ａｌｔ＋Ｆ４キーの押下等）がなされたか否かを判断し（Ｓ７１３）、終了指示がなされていなければ（Ｓ７１３：ＮＯ）、有効な操作がなされていないことになるので、そのままＳ７０３の処理へと戻る。また、終了指示がなされていれば（Ｓ７１３：ＹＥＳ）、設定変更内容詳細ウィンドウ５５，５７を消去して（Ｓ７１５）、図１７に示した設定変更内容詳細ウィンドウ処理を終了する。
【０１４７】
このようにして設定変更内容詳細ウィンドウ処理を終了すると、図１３に示したＳ５３１の処理を終えたことになるので、この場合、Ｓ５０７の処理へと戻る。
さて、以上説明したように、図１３に示したＳ５０１〜Ｓ５３１の送信実行確認ダイアログ処理を実行し、その中でSendボタン５３またはCancelボタン５１が押されて、送信実行確認ダイアログ処理を終了すると、図７に示したＳ１０５の処理を終えたことになるので、引き続いてＰＣ１は、上述のＳ５０７の処理においてSendボタン５３が押されたのか否かを判断する（Ｓ１０７）。ここで、Sendボタン５３が押されていなかった場合は（Ｓ１０７：ＮＯ）、Cancelボタン５１が押されていたことになるので、Ｓ１０１の処理へと戻って、設定データ伝送処理を最初からやり直す。
【０１４８】
一方、Sendボタン５３が押されていた場合は（Ｓ１０７：ＹＥＳ）、複数デバイス設定一括送信処理を実行する（Ｓ１０９）。この複数デバイス設定一括送信処理は、詳しくは図２２に示すような処理となる。
【０１４９】
複数デバイス設定一括送信処理を開始すると、ＰＣ１は、図２２に示すように、送信実行プログレスダイアログ７１（図２３参照）を表示する（Ｓ９０１）。送信実行プログレスダイアログ７１は、処理の進捗状況を表示するためのダイアログで、図２３（ａ）および同図（ｂ）に示すように、プログレスバー表示欄７３、Cancelボタン７５などを備えた画面となっている。初期状態では、プログレスバー表示欄７３は、図２３（ａ）に示すように、プログレスバーが全く表示されていない状態になっている。
【０１５０】
送信実行プログレスダイアログ７１を表示したら、続いて、ＰＣ１は、設定値送信中デバイスを示す番号を初期化する（Ｓ９０３）。この設定値送信中デバイスを示す番号は、デバイスリスト内のエントリを先頭から順に処理するための指標として用いられる変数であり、Ｓ９０３の処理では、例えば、デバイスリスト内の先頭エントリを指し示すため、設定値送信中デバイスを示す番号ｉがｉ＝１として初期化される。続いて、ＰＣ１は、全デバイス処理済みか否かを判断する（Ｓ９０５）。ここでは、例えば、全デバイスがｎ台（＝デバイスリスト内のエントリがｎ個）ある場合、上述の設定値送信中デバイスを示す番号ｉがｉ≦ｎか否かを判断すればよい。Ｓ９０５の処理で、全デバイス処理済みでないと判断された場合（Ｓ９０５：ＮＯ）、上述の設定変更内容詳細ウィンドウ処理（図１７参照）で、個別設定がなされたかどうかを判断する（Ｓ９０７）。
【０１５１】
ここで、設定変更内容詳細ウィンドウ処理での設定変更がなされていない場合は（Ｓ９０７：ＮＯ）、設定送信中デバイス（デバイスリスト中のｉ番目のデバイス）に、全デバイス共通で更新する設定値（本発明でいう新設定データ）を送信する（Ｓ９０９）。具体的には、カレントデバイス（＝第１，第２の設定データ伝送処理それぞれを開始するまでのＵＩで選択した代表デバイス）から取得した設置値をベースにして、先に説明した“Send Settings to Printer(s)”ダイアログ２１の設定送信種類切り替え指示欄２５にて選択された設定送信の種類が、“Send all Current Values”の場合は、カレントデバイスと同じ設定データを送信し、“Send all Update Values”の場合は、カレントデバイスの元の設定データに対して更新が加えられた設定データのみを送信し、“Send Current and Update Values”の場合は、カレントデバイスの元の設定データに対して更新が加えられていない項目はカレントデバイスと同じ設定データ、カレントデバイスの元の設定データに対して更新が加えられている項目は更新後の設定データ、双方を送信する。
【０１５２】
一方、設定変更内容詳細ウィンドウ処理での設定変更がなされていた場合は（Ｓ９０７：ＹＥＳ）、設定送信中デバイス（デバイスリスト中のｉ番目のデバイス）に、設定変更内容詳細ウィンドウ処理で設定された固有の更新設定値（本発明でいう個別設定データ）を送信する（Ｓ９１１）。
【０１５３】
Ｓ９０９，Ｓ９１１の処理は、双方ともＳＮＭＰプロトコルを利用して実行される。具体的には、ＳＮＭＰプロトコルを利用し、ＰＣ１が設定値送信中デバイスに対してデータセット要求を発行し、設定値送信中デバイスが、ＰＣ１からのデータセット要求に応じて、設定値取得中デバイスが内部的に管理しているＭＩＢ（例えば、プリンタ３の場合はＭＩＢ３１１）内に設定値を格納する。
【０１５４】
続いて、ＰＣ１は、設定値送信中デバイスがカレントデバイス（代表デバイス）であるかどうかを判断し（Ｓ９１３）、カレントデバイスである場合は（Ｓ９１３：ＹＥＳ）、カレントデバイスに対してのみ設定すべき設定項目について変更された設定値を送信する（Ｓ９１５）。カレントデバイスに対してのみ設定すべき設定項目は、あらかじめ決められており、例えば、ＮＩＣ設定の場合であれば、Node Name（ＮＩＣのノード名）、Password（アドミニストレーターパスワード）、サービスフィルタ設定、IP Address（ＮＩＣのＩＰアドレス）、Subnet Mask（ＮＩＣのサブネットマスク）、Gateway（ゲートウェイ（ルーター）アドレス設定）、IP Config（ＩＰ取得方法の設定）、Printer E-mail Address（プリンタ／ＭＦＰに割り当てるＥメールアドレス）、POP3 Account Name（Ｅメールサーバーアクセス時のメールボックスアカウント名）、POP3 Account Password（メールボックスアカウントに対応するパスワード）などは、ＮＩＣ毎に設定すべき設定項目となるので、カレントデバイスに対してのみ設定すべき設定項目と決められている。
【０１５５】
続いて、ＰＣ１は、Cancelボタンが入力されたか否かを判断し（Ｓ９１７）、Cancelボタンが入力されていなければ（Ｓ９１７：ＮＯ）、設定送信が成功したか否かを判断して（Ｓ９１９）、成功していれば（Ｓ９１９：ＹＥＳ）、デバイスリストに設定送信中デバイスへの設定送信ＯＫという情報を書き込み（Ｓ９２１）、成功していなければ（Ｓ９１９：ＮＯ）、デバイスリストに設定送信中デバイスへの設定送信ＮＧという情報と失敗理由を書き込む（Ｓ９２３）。
【０１５６】
成功／失敗いずれかの情報を書き込んだら、続いて、設定送信中デバイスを示す番号を更新する（Ｓ９２５）。Ｓ９２５の処理は、例えば、設定値送信中デバイスを示す番号ｉを１だけカウントアップする処理となる。そして、送信実行プログレスダイアログ７１（図２３参照）のプログレスバー表示欄７３に表示されるプログレスバーを更新する（Ｓ９２７）。具体的には、プログレスバー表示欄７３に表示されるプログレスバーの長さを、次の計算式：［プログレスバーの長さ］＝［プログレスバー表示欄７３に表示可能なプログレスバーの最大長］＊［終了台数］／［全台数］から求め、求めた長さのプログレスバーをプログレスバー表示欄７３に表示する。その結果、例えば、図２３（ｂ）に示すように、プログレスバー表示欄７３に現在の進捗状況を表す長さのプログレスバーが表示されることになり、その後は、Ｓ９０５の処理へと戻る。こうしてＳ９０５〜Ｓ９２７の処理を繰り返すと、デバイスリスト内のエントリが順に処理されて最終的に全デバイスが処理されるので、Ｓ９０５の処理において全デバイス処理済みとの判断がなされることになる（Ｓ９０５：ＹＥＳ）。なお、上記Ｓ９０５〜Ｓ９２７の処理では、１からｎまでカウントアップされる変数ｉを指標として用いたが、デバイスリスト内のデバイスエントリを順に指定する方法は任意であり、たとえばリスト内の各デバイスエントリをメモリ上のアドレス値で指し示すポインタ変数等を使っても構わない。
【０１５７】
Ｓ９０５の処理において全デバイス処理済みとの判断がなされた場合（Ｓ９０５：ＹＥＳ）、続いて、ＰＣ１は、送信実行プログレスダイアログ７１の表示を消去する（Ｓ９３１）。そして、送信実行結果ダイアログ７７を表示し（図２４参照）、OKボタン８１の入力を待つ（Ｓ９３３）。送信実行結果ダイアログ７７は、図２４に示すように、送信結果表示欄７９、OKボタン８１などを備えた画面となっている。送信結果表示欄７９には、先に説明したＳ９２１の処理でデバイスリストに書き込まれた“設定送信ＯＫという情報”、もしくは、先に説明したＳ９２３の処理でデバイスリストに書き込まれた“設定送信ＮＧという情報”および失敗理由が表示される。なお、失敗理由としては、例えば、“Connection Error”：デバイスへの接続に失敗し設定が未完了、“Password Incorrect”：パスワードが違うため設定不可能、といったものが表示される。利用者は、送信結果表示欄７９の表示内容から更新状況を確認し、必要な対処を行うことができ、送信結果表示欄７９の表示が不要となれば、OKボタン８１を押すことになる。そして、OKボタン８１が押された場合は、送信実行結果ダイアログ７７の表示を消去し（Ｓ９３５）、図２２に示した複数デバイス設定一括送信処理を終了し、これにより、図７に示したＳ１０９の処理を終えたことになるので、設定データ伝送処理全体を終了することになる。なお、上記Ｓ９１７の処理において、Cancelボタンが入力されていれば（Ｓ９１７：ＹＥＳ）、この場合も、送信実行結果ダイアログ７７の表示を消去し（Ｓ９３５）、図２２に示した複数デバイス設定一括送信処理を終了するので、これにより、図７に示したＳ１０９の処理を終えたことになり、設定データ伝送処理全体を終了することになる。
【０１５８】
ところで、以上が設定データ伝送処理についての説明であるが、上述の通り、ＮＩＣ設定の場合、ＮＩＣ設定ダイアログ１５（図６参照）において、画面内の「General」タブにあるSendボタン１７をクリックすると、ＰＣ１は、第２の設定データ伝送処理を実行することになり、その結果、設定データが伝送されることになるが、ＮＩＣ設定ダイアログ１５自体にも各種設定データの入力欄があり、ここで利用者が設定値を入力すると、その前に第２の設定データ伝送処理で伝送した設定値とは異なる設定値が入力されることもある。そこで、ＮＩＣ設定ダイアログ表示処理では、図２５に示すような処理を行っている。
【０１５９】
すなわち、ＰＣ１は、まず、ＮＩＣ設定ダイアログを表示し（Ｓ１００１）、マウス／キーの入力を受け付ける状態になる（Ｓ１００３）。
そして、Ｓ１００３の処理において、OKボタンが押されたか否か（Ｓ１００５）、Cancelボタンが押されたか否か（Ｓ１００７）、Sendボタンが押されたか否か（Ｓ１００９）、以上を順に判断し、Sendボタンが押されていた場合には（Ｓ１００５：ＮＯ，Ｓ１００７：ＮＯ，Ｓ１００９：ＹＥＳ）、先に説明した第２の設定データ伝送処理（複数デバイス一括設定処理）を実行して、Ｓ１００３の処理へと戻る。
【０１６０】
一方、Ｓ１００９の処理において、Sendボタンが押されていなかった場合には（Ｓ１００９：ＮＯ）、その他のボタン処理または設定値変更処理などがなされ（Ｓ１０１３）、Ｓ１００３の処理へと戻る。
【０１６１】
このようなＳ１０１３の処理が行われているため、Ｓ１００３の処理において、OKボタンが押されていた場合は（Ｓ１００５：ＹＥＳ）、ＮＩＣ設定ダイアログ１５自体が備える入力欄に利用者が設定値を入力している可能性があり、その場合は、その設定値についても、Ｓ１０１１の処理とは別に、設定データをカレントデバイス（代表デバイス）に伝送する必要がある。
【０１６２】
そこで、ＰＣ１は、ＮＩＣ設定ダイアログ１５自体が備える入力欄を対象にして、未反映の設定変更があるか否かを判断し（Ｓ１０１５）、そのような設定変更があった場合は（Ｓ１０１５：ＹＥＳ）、未反映の設定変更をカレントデバイスに送信する（Ｓ１０１７）。そして、ＮＩＣ設定ダイアログ１５の表示を消去して（Ｓ１０１９）、ＮＩＣ設定ダイアログ表示処理を終了する。なお、Ｓ１００７の処理において、Cancelボタンが押されていた場合は（Ｓ１００７：ＹＥＳ）、ＮＩＣ設定ダイアログ１５の表示を消去して（Ｓ１０１９）、ＮＩＣ設定ダイアログ表示処理を終了する。
【０１６３】
以上説明したように、上記設定データ伝送処理によれば、代表デバイスと同じデータもしくはそのデータの一部を変更したデータである新設定データを、ネットワーク上の複数のデバイスに対して一括送信することができ、しかも、その一括送信に伴って各デバイスの設定内容に実際に変更が加えられるのかどうかを、図１３に示した送信実行確認ダイアログ４１を見て、事前に確認することができる。
【０１６４】
特に、複数のデバイスそれぞれの設定は、必ずしもすべて同じ設定になっているとは限らないため、複数のデバイスへ同じ設定データを一括送信する場合、あるデバイスでは、各デバイスの既設定データと上記新設定データが相違するものの、別のデバイスでは、既設定データと新設定データが同一になっていることがあるが、上記設定データ伝送処理では、図１３に示した送信実行確認ダイアログ４１において、複数の設定対象デバイスそれぞれについて、更新がなされるか否かを表示するので、どのデバイスにおいて実質的な設定データの更新が行われるのか（あるいは更新が行われないのか）を、利用者が簡単に確認することができる。
【０１６５】
したがって、利用者の誤操作等が原因で、誤った設定データを一括送信したような場合に、予定外のデバイスで不要な更新が行われたり、予定していたデバイスで必要な更新が行われなかったりするおそれがあるが、そのような更新状況になることも、送信実行確認ダイアログ４１内の表示結果に基づいて、利用者が事前に知ることができるので、そのような誤った設定がなされてしまうのを未然に防ぐことができる。
【０１６６】
以上、本発明の実施形態について説明したが、本発明は上記の具体的な一実施形態に限定されず、この他にも種々の形態で実施することができる。
例えば、上記実施形態においては、新設定データの元になる設定データをカレントデバイス（代表デバイス）から取得した後、カレントデバイス自体も設定対象デバイスとして選択できるように構成されていたので、カレントデバイスへの設定データ送信が不要な場合には、カレントデバイスの選択をRemoveボタン等を使って解除する必要があったが、一括送信を行う場合に、カレントデバイスについては、あらかじめ設定対象デバイスから除外されるように構成されていてもよい。
【０１６７】
具体的には、例えば、図１５に示したデバイスの設定値取得処理に対し、図２６に示したＳ６０４、Ｓ６１５の処理を追加することにより、Ｓ６０５の処理によって設定値取得中デバイスから設定値を取得する前に、設定値取得中デバイスがカレントデバイスであるか否かを判断し（Ｓ６０４）、カレントデバイスであれば（Ｓ６０４：ＹＥＳ）、デバイスリスト内の該当デバイスエントリを無効として（Ｓ６１１）、Ｓ６０５〜Ｓ６１１の処理を実行することなく、Ｓ６１３の処理へと移行する。これにより、デバイスリスト内のカレントデバイスに該当するエントリについては、無効である旨の情報が登録される。
【０１６８】
そして、図２２に示した複数デバイス設定一括送信処理に対し、図２７に示したＳ９０６の処理を追加するとともに、Ｓ９１３，Ｓ９１５の処理については削除することにより、Ｓ９０７〜Ｓ９１１の処理によって新設定データないし個別設定データの送信を行う前に、設定値送信中デバイスに該当するデバイスリスト内のエントリが無効であるか否かを判断し（Ｓ９０６）、無効であった場合は（Ｓ９０６：ＹＥＳ）、Ｓ９０７〜Ｓ９１１の処理を実行することなく、Ｓ９１７の処理へと移行する。
【０１６９】
その結果、カレントデバイスについては、既設定データの取得処理、および新設定データないし個別設定データの送信処理が、共にスキップされることになるので、カレントデバイスについては、あらかじめ設定対象デバイスから除外されることになる。
【０１７０】
また、上記実施形態では、印刷系デバイスの設定を例に挙げて説明したが、本発明は印刷系以外のデバイスに対する設定、例えば、スキャナ、ネットワークカメラなどの画像入力系デバイス、ファクシミリなどの画像通信系デバイス、ネットワークルータ、ネットワークポイントなどの通信経路系デバイス、ネットワークストレージなどの情報サーバ系デバイスなど、複数の装置で共通する設定値が使われる構成であれば利用することができる。
【０１７１】
さらに、上記実施形態では、ＰＣ１だけが単独で設定データ伝送装置として機能するように構成してあったが、設定データ伝送装置を構成するのに必要な各手段を、複数のノードに分散させて配置してもよい。その場合、あるノードに配された手段の出力データが別のノードに配された手段の入力データとなるのであれば、あるノードで得られた出力データをネットワークを介して別のノードへと伝送して、そのネットワークシステム全体が、上記設定データ伝送装置と同等に機能するように構成する。これにより、ネットワークシステム内に、本発明の設定データ伝送装置と同等に機能する分散処理システム（例えば、図１中のＰＣ１’、ＰＣ１”とＰＣ１が分散処理する分散処理システム）を構成することができる。
【図面の簡単な説明】
【０１７２】
【図１】本発明の設定データ伝送システムを含むネットワークシステムの概略構成図。
【図２】デバイス設定管理ツール初期画面の画面構成図。
【図３】デバイス設定管理ツール初期画面上での操作を説明するための説明図。
【図４】プリンタ設定機能初期画面の画面構成図。
【図５】プリンタ設定機能初期画面上での操作を説明するための説明図。
【図６】ＮＩＣ設定ダイアログの画面構成図。
【図７】設定データ伝送処理のフローチャート。
【図８】“Send Settings to Printer(s)”ダイアログ処理のフローチャート。
【図９】“Send Settings to Printer(s)”ダイアログの画面構成図。
【図１０】“Send Settings to Printer(s)”ダイアログでグレーアウトを解除した状態の画面構成図。
【図１１】指定されたデバイスをデバイスリストに追加する処理のフローチャート。
【図１２】デバイスの検索とデバイスリストの更新を行う処理のフローチャート。
【図１３】送信実行確認ダイアログ処理のフローチャート。
【図１４】送信実行確認ダイアログの画面構成図。
【図１５】デバイスの設定値取得処理のフローチャート。
【図１６】送信実行確認ダイアログでグレーアウトを解除した状態の画面構成図。
【図１７】設定変更内容詳細ウィンドウ処理のフローチャート。
【図１８】第１の設定データ伝送処理における設定変更内容詳細ウィンドウの画面構成図。
【図１９】第２の設定データ伝送処理における設定変更内容詳細ウィンドウの画面構成図。
【図２０】設定値変更処理のフローチャート。
【図２１】設定値変更ダイアログの画面構成図。
【図２２】複数デバイス設定一括送信処理のフローチャート。
【図２３】送信実行プログレスダイアログの画面構成図。
【図２４】送信実行結果ダイアログの画面構成図。
【図２５】ＮＩＣ設定ダイアログ表示処理のフローチャート。
【図２６】デバイスの設定値取得処理の変形例のフローチャート。
【図２７】複数デバイス設定一括送信処理の変形例のフローチャート。
【符号の説明】
【０１７３】
１，１’，１”・・・パーソナルコンピュータ（ＰＣ）、２・・・ルータ、３〜５…プリンタ、７・・・ＬＡＮ、１０１，３０１・・・ＣＰＵ、１０２，３０２・・・ＲＯＭ、１０３，３０３・・・ＲＡＭ、１０５・・・入力部、１０６，３０６・・・表示部、１０７・・・ストレージデバイス、３０４・・・ＮＶＲＡＭ、３０７・・・印刷部、１０８，３０８・・・ネットワークＩ／Ｆ、３１１・・・ＭＩＢ、１１・・・デバイス設定管理ツール初期画面、１３・・・プリンタ設定機能初期画面、１５・・・ＮＩＣ設定ダイアログ、２１・・・“Send Settings to Printer(s)”ダイアログ、４１・・・送信実行確認ダイアログ、５５，５７・・・設定変更内容詳細ウィンドウ、６１・・・設定値変更ダイアログ、７１・・・送信実行プログレスダイアログ、７７・・・送信実行結果ダイアログ。
【図７】
2006099362.tif 000003
【図８】
2006099362.tif 000004
【図１１】
2006099362.tif 000005
【図１２】
2006099362.tif 000006
【図１３】
2006099362.tif 000007
【図１５】
2006099362.tif 000008
【図１７】
2006099362.tif 000009
【図２０】
2006099362.tif 000010
【図２２】
2006099362.tif 000011
【図２５】
2006099362.tif 000012
【図２６】
2006099362.tif 000013
【図２７】
2006099362.tif 000014
【図１】
2006099362.tif 000015
【図２】
2006099362.tif 000016
【図３】
2006099362.tif 000017
【図４】
2006099362.tif 000018
【図５】
2006099362.tif 000019
【図６】
2006099362.tif 000020
【図９】
2006099362.tif 000021
【図１０】
2006099362.tif 000022
【図１４】
2006099362.tif 000023
【図１６】
2006099362.tif 000024
【図１８】
2006099362.tif 000025
【図１９】
2006099362.tif 000026
【図２１】
2006099362.tif 000027
【図２３】
2006099362.tif 000028
【図２４】
2006099362.tif 000029